(57)【要約】  本発明は情報を繰り返し伝送する方法、端末機器及びネットワーク機器を開示しており、方法は、少なくとも１つの連続するタイムスロットの連続する時間領域リソース上で、Ｋ個のアップリンク伝送チャネルを伝送するステップを含み、前記Ｋ個のアップリンク伝送チャネルは、ターゲットデータを個別に伝送することに用いられ、Ｋは２以上の整数であり、前記少なくとも１つの連続するタイムスロットの連続する時間領域リソース上で、Ｋ個のアップリンク伝送チャネルを伝送するステップは、ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送すること、又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送することを含み、ｎは１以上且つＫ以下の整数であり、ｍは１以上の整数である。
2021518095.tif 000002
【特許請求の範囲】
【請求項１】
情報を繰り返し伝送する方法であって、端末機器に適用され、
少なくとも１つの連続するタイムスロットの連続する時間領域リソース上で、Ｋ個のアップリンク伝送チャネルを伝送するステップを含み、前記Ｋ個のアップリンク伝送チャネルは、ターゲットデータを個別に伝送することに用いられ、Ｋは２以上の整数であり、
前記少なくとも１つの連続するタイムスロットの連続する時間領域リソース上で、Ｋ個のアップリンク伝送チャネルを伝送するステップは、
ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送すること、
又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送することを含み、
ｎは１以上且つＫ以下の整数であり、ｍは１以上の整数である情報を繰り返し伝送する方法。
【請求項２】
前記Ｋ個のアップリンク伝送チャネルは、完全に同じコンテンツをＫ回繰り返し伝送し、
又は、
前記Ｋ個のアップリンク伝送チャネル内の異なるアップリンク伝送チャネルは、同じターゲットデータの異なる伝送バージョンを搬送する請求項１に記載の方法。
【請求項３】
前記Ｋ個のアップリンク伝送チャネルのうち、各々のアップリンク伝送チャネルが占有する時間領域リソースは、１つのタイムスロット内に含まれている時間領域リソースの数未満である請求項１に記載の方法。
【請求項４】
前記ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送することは、
ｍ番目のタイムスロットの残り時間領域リソースで完全なｎ番目のアップリンク伝送チャネルを搬送することができない場合、ｍ＋１番目のタイムスロットの開始位置からｎ番目のアップリンク伝送チャネルを伝送すること、
又は、
ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送することを含む請求項１〜３のいずれか１項に記載の方法。
【請求項５】
前記ｍ＋１番目のタイムスロットの開始位置からｎ番目のアップリンク伝送チャネルを伝送するとき、前記方法は、
前記ｍ番目のタイムスロットの残り時間領域リソース上で、基準信号又は占有信号を伝送するステップ、又は、
前記ｍ番目のタイムスロットの残り時間領域リソース上で、前記ターゲットデータを伝送するための第１不完全なアップリンクチャネルを伝送するステップをさらに含む請求項４に記載の方法。
【請求項６】
前記ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送することは、
ｍ番目のタイムスロットの残り時間領域リソースで完全なｎ番目のアップリンク伝送チャネルを搬送することができない場合、直接前記ｍ番目のタイムスロットの残り時間領域リソース内で不完全なｎ番目のアップリンク伝送チャネルを伝送すること、
又は、
ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送することを含む請求項１〜３のいずれか１項に記載の方法。
【請求項７】
前記第１所定条件は、
前記残り時間領域リソースの時間領域シンボルの数が予め設定された閾値以下であること、又は、
前記残り時間領域リソースではデータを伝送するための時間領域シンボルの数が予め設定された閾値以下であることである請求項４に記載の方法。
【請求項８】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである請求項４〜７のいずれか１項に記載の方法。
【請求項９】
前記予め設定された閾値は、第１予め設定された閾値及び／又は第２予め設定された閾値を含み、
前記第１予め設定された閾値は、１つの完全なアップリンク伝送チャネルが占有する時間領域シンボルの数に基づいて特定された閾値であり、
前記第２予め設定された閾値は、１つの完全なアップリンク伝送チャネルに含まれるデータ伝送用の時間領域シンボルの数に基づいて特定された閾値である請求項７又は８に記載の方法。
【請求項１０】
情報を繰り返し伝送する方法であって、ネットワーク機器に適用され、
少なくとも１つの連続するタイムスロットの連続する時間領域リソース上で、Ｋ個のダウンリンク伝送チャネルを伝送するステップを含み、前記Ｋ個のダウンリンク伝送チャネルは、ターゲットデータを個別に伝送することに用いられ、Ｋは２以上の整数であり、
前記少なくとも１つの連続するタイムスロットの連続する時間領域リソース上で、Ｋ個のダウンリンク伝送チャネルを伝送するステップは、
ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送すること、
又は、ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することを含み、
ｎは１以上且つＫ以下の整数であり、ｍは１以上の整数である情報を繰り返し伝送する方法。
【請求項１１】
前記Ｋ個のダウンリンク伝送チャネルは、完全に同じコンテンツをＫ回繰り返し伝送し、
又は、
前記Ｋ個のダウンリンク伝送チャネル内の異なるダウンリンク伝送チャネルは、同じターゲットデータの異なる伝送バージョンを搬送する請求項１０に記載の方法。
【請求項１２】
前記Ｋ個のダウンリンク伝送チャネルのうち、各々のダウンリンク伝送チャネルが占有する時間領域リソースは、１つのタイムスロット内に含まれている時間領域リソースの数未満である請求項１０に記載の方法。
【請求項１３】
前記ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送することは、
ｍ番目のタイムスロットの残り時間領域リソースで完全なｎ番目のダウンリンク伝送チャネルを搬送することができない場合、ｍ＋１番目のタイムスロットの開始位置からｎ番目のダウンリンク伝送チャネルを伝送すること、
又は、
ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送することを含む請求項１０〜１２のいずれか１項に記載の方法。
【請求項１４】
前記ｍ＋１番目のタイムスロットの開始位置からｎ番目のダウンリンク伝送チャネルを伝送するとき、前記方法は、
前記ｍ番目のタイムスロットの残り時間領域リソース上で、基準信号又は占有信号を伝送するステップ、又は、
前記ｍ番目のタイムスロットの残り時間領域リソース上で、前記ターゲットデータを伝送するための第１不完全なダウンリンクチャネルを伝送するステップをさらに含む請求項１３に記載の方法。
【請求項１５】
前記ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することは、
前記ｍ番目のタイムスロットの残り時間領域リソースで完全なｎ番目のダウンリンク伝送チャネルを搬送することができない場合、直接前記ｍ番目のタイムスロットの残り時間領域リソース内で不完全なｎ番目のダウンリンク伝送チャネルを伝送すること、
又は、
ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送することを含む請求項１０〜１２のいずれか１項に記載の方法。
【請求項１６】
前記第１所定条件は、
前記残り時間領域リソースの時間領域シンボルの数が予め設定された閾値以下であること、又は、
前記残り時間領域リソースではデータを伝送するための時間領域シンボルの数が予め設定された閾値以下であることである請求項１３に記載の方法。
【請求項１７】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである請求項１３〜１６のいずれか１項に記載の方法。
【請求項１８】
前記予め設定された閾値は、第１予め設定された閾値及び／又は第２予め設定された閾値を含み、
前記第１予め設定された閾値は、１つの完全なダウンリンク伝送チャネルが占有する時間領域シンボルの数に基づいて特定された閾値であり、
前記第２予め設定された閾値は、１つの完全なダウンリンク伝送チャネルに含まれるデータ伝送用の時間領域シンボルの数に基づいて特定された閾値である請求項１６又は１７に記載の方法。
【請求項１９】
端末機器であって、
少なくとも１つの連続するタイムスロットの連続する時間領域リソース上で、Ｋ個のアップリンク伝送チャネルを伝送する第１通信ユニットを備え、前記Ｋ個のアップリンク伝送チャネルは、ターゲットデータを個別に伝送することに用いられ、Ｋは２以上の整数であり、
前記第１通信ユニットは、ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送し、又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送し、
ｎは１以上且つＫ以下の整数であり、ｍは１以上の整数である端末機器。
【請求項２０】
前記Ｋ個のアップリンク伝送チャネルは、完全に同じコンテンツをＫ回繰り返し伝送し、
又は、
前記Ｋ個のアップリンク伝送チャネル内の異なるアップリンク伝送チャネルは、同じターゲットデータの異なる伝送バージョンを搬送する請求項１９に記載の端末機器。
【請求項２１】
前記Ｋ個のアップリンク伝送チャネルのうち、各々のアップリンク伝送チャネルが占有する時間領域リソースは、１つのタイムスロット内に含まれている時間領域リソースの数未満である請求項１９に記載の端末機器。
【請求項２２】
前記第１通信ユニットは、ｍ番目のタイムスロットの残り時間領域リソースで完全なｎ番目のアップリンク伝送チャネルを搬送することができない場合、ｍ＋１番目のタイムスロットの開始位置からｎ番目のアップリンク伝送チャネルを伝送し、
又は、
ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送する請求項１９〜２１のいずれか１項に記載の端末機器。
【請求項２３】
前記第１通信ユニットは、前記ｍ番目のタイムスロットの残り時間領域リソース上で、基準信号又は占有信号を伝送し、又は、
前記ｍ番目のタイムスロットの残り時間領域リソース上で、前記ターゲットデータを伝送するための第１不完全なアップリンクチャネルを伝送する請求項２２に記載の端末機器。
【請求項２４】
前記第１通信ユニットは、前記ｍ番目のタイムスロットの残り時間領域リソースで完全なｎ番目のアップリンク伝送チャネルを搬送することができない場合、直接前記ｍ番目のタイムスロットの残り時間領域リソース内で不完全なｎ番目のアップリンク伝送チャネルを伝送し、
又は、
ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送する請求項１９〜２１のいずれか１項に記載の端末機器。
【請求項２５】
前記第１所定条件は、
前記残り時間領域リソースの時間領域シンボルの数が予め設定された閾値以下であること、又は、
前記残り時間領域リソースではデータを伝送するための時間領域シンボルの数が予め設定された閾値以下であることである請求項２２に記載の端末機器。
【請求項２６】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである請求項２２〜２４のいずれか１項に記載の端末機器。
【請求項２７】
前記予め設定された閾値は、第１予め設定された閾値及び／又は第２予め設定された閾値を含み、
前記第１予め設定された閾値は、１つの完全なアップリンク伝送チャネルが占有する時間領域シンボルの数に基づいて特定された閾値であり、
前記第２予め設定された閾値は、１つの完全なアップリンク伝送チャネルに含まれるデータ伝送用の時間領域シンボルの数に基づいて特定された閾値である請求項２５又は２６に記載の端末機器。
【請求項２８】
ネットワーク機器であって、
少なくとも１つの連続するタイムスロットの連続する時間領域リソース上で、Ｋ個のダウンリンク伝送チャネルを伝送する第２通信ユニットを備え、前記Ｋ個のダウンリンク伝送チャネルは、ターゲットデータを個別に伝送することに用いられ、Ｋは２以上の整数であり、
前記少なくとも１つの連続するタイムスロットの連続する時間領域リソース上で、Ｋ個のダウンリンク伝送チャネルを伝送することは、
ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送すること、又は、ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することを含み、
ｎは１以上且つＫ以下の整数であり、ｍは１以上の整数であるネットワーク機器。
【請求項２９】
前記Ｋ個のダウンリンク伝送チャネルは、完全に同じコンテンツをＫ回繰り返し伝送し、
又は、
前記Ｋ個のダウンリンク伝送チャネル内の異なるダウンリンク伝送チャネルは、同じターゲットデータの異なる伝送バージョンを搬送する請求項２８に記載のネットワーク機器。
【請求項３０】
前記Ｋ個のダウンリンク伝送チャネルのうち、各々のダウンリンク伝送チャネルが占有する時間領域リソースは、１つのタイムスロット内に含まれている時間領域リソースの数未満である請求項２８に記載のネットワーク機器。
【請求項３１】
前記第２通信ユニットは、
ｍ番目のタイムスロットの残り時間領域リソースで完全なｎ番目のダウンリンク伝送チャネルを搬送することができない場合、ｍ＋１番目のタイムスロットの開始位置からｎ番目のダウンリンク伝送チャネルを伝送し、
又は、
ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送する請求項２８〜３０のいずれか１項に記載のネットワーク機器。
【請求項３２】
前記第２通信ユニットは、前記ｍ番目のタイムスロットの残り時間領域リソース上で、基準信号又は占有信号を伝送し、又は、
前記ｍ番目のタイムスロットの残り時間領域リソース上で、前記ターゲットデータを伝送するための第１不完全なダウンリンクチャネルを伝送する請求項３１に記載のネットワーク機器。
【請求項３３】
前記第２通信ユニットは、
ｍ番目のタイムスロットの残り時間領域リソースで完全なｎ番目のダウンリンク伝送チャネルを搬送することができない場合、直接前記ｍ番目のタイムスロットの残り時間領域リソース内で不完全なｎ番目のダウンリンク伝送チャネルを伝送し、
又は、
ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送する請求項２８〜３０のいずれか１項に記載のネットワーク機器。
【請求項３４】
前記第１所定条件は、
前記残り時間領域リソースの時間領域シンボルの数が予め設定された閾値以下であること、又は、
前記残り時間領域リソースではデータを伝送するための時間領域シンボルの数が予め設定された閾値以下であることである請求項３１に記載のネットワーク機器。
【請求項３５】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである請求項３１〜３４のいずれか１項に記載のネットワーク機器。
【請求項３６】
前記予め設定された閾値は、第１予め設定された閾値及び／又は第２予め設定された閾値を含み、
前記第１予め設定された閾値は、１つの完全なダウンリンク伝送チャネルが占有する時間領域シンボルの数に基づいて特定された閾値であり、
前記第２予め設定された閾値は、１つの完全なダウンリンク伝送チャネルに含まれるデータ伝送用の時間領域シンボルの数に基づいて特定された閾値である請求項３４又は３５に記載のネットワーク機器。
【請求項３７】
端末機器であって、プロセッサと、プロセッサ上で実行できるコンピュータプログラムを記憶するためのメモリと、を備え、
当該メモリは、コンピュータプログラムを記憶することに用いられ、前記プロセッサは、前記メモリに記憶されているコンピュータプログラムを呼び出して実行して、請求項１〜９のいずれか１項に記載の方法のステップを実行することに用いられる端末機器。
【請求項３８】
ネットワーク機器であって、プロセッサと、プロセッサ上で実行できるコンピュータプログラムを記憶するためのメモリと、を備え、
当該メモリは、コンピュータプログラムを記憶することに用いられ、前記プロセッサは、前記メモリに記憶されているコンピュータプログラムを呼び出して実行して、請求項１０〜１８のいずれか１項に記載の方法のステップを実行することに用いられるネットワーク機器。
【請求項３９】
チップであって、メモリからコンピュータプログラムを呼び出して実行して、前記チップが取り付けられる機器に請求項１〜９のいずれか１項に記載の方法を実行させるためのプロセッサを備えるチップ。
【請求項４０】
チップであって、メモリからコンピュータプログラムを呼び出して実行して、前記チップが取り付けられる機器に請求項１０〜１８のいずれか１項に記載の方法を実行させるためのプロセッサを備えるチップ。
【請求項４１】
コンピュータに請求項１〜１８のいずれか１項に記載の方法のステップを実行させるコンピュータプログラムを記憶するためのコンピュータ可読記憶媒体。
【請求項４２】
コンピュータに請求項１〜１８のいずれか１項に記載の方法を実行させるコンピュータプログラム命令を含むコンピュータプログラム製品。
【請求項４３】
コンピュータに請求項１〜１８のいずれか１項に記載の方法を実行させるコンピュータプログラム。
【発明の詳細な説明】
【技術分野】
【０００１】
本発明は、情報処理の技術分野に関し、特に情報を繰り返し伝送する方法、端末機器、ネットワーク機器、チップ、コンピュータ可読記憶媒体、コンピュータプログラム製品及びコンピュータプログラムに関する。
【背景技術】
【０００２】
無認可スペクトルは、国と地域によって割り当てられた無線機器の通信に使用できるスペクトルであり、当該スペクトルは、一般に共有スペクトルと見なされ、即ち、異なる通信システムの通信機器は、国又は地域が当該スペクトルで設定した法的要件を満たすだけで、政府に専用のスペクトル認可を申請する必要がなく、当該スペクトルを使用することができる。無線通信技術の発展に伴い、ＬＴＥシステム及びＮＲシステムの両方は、無認可スペクトルでデータサービスの伝送を行うために、無認可スペクトル上でネットワークを構築することを考慮する。現在の５Ｇ新無線（ＮＲ：ｎｅｗ  ｒａｄｉｏ）システムには超高信頼低遅延通信（ＵＲＬＬＣ：Ｕｌｔｒａ−ｒｅｌｉａｂｌｅ  ｌｏｗ  ｌａｔｅｎｃｙ  ｘｘｘ）が導入され、当該サービスの特徴は、極端な遅延内に超高信頼性の伝送を実現することである。この目標を実現するために、グラントフリー（Ｇｒａｎｔ  ｆｒｅｅ）の概念が提案され、Ｇｒａｎｔ  ｆｒｅｅは、事前割り当て＼半永続状態のリソース割り当て方式を使用し、端末はサービス需要に応じて割り当てられたリソースで伝送することができる。伝送性能を向上させるために、ｇｒａｎｔ  ｆｒｅｅに対して繰り返し伝送をサポートするが、現在のＲｅｌ−１５のグラントフリーｇｒａｎｔ  ｆｒｅｅの関連設計が無認可スペクトル上でｇｒａｎｔ  ｆｒｅｅデータを伝送するのにあまり適用できないため、伝送の成功率が低下する。
【発明の概要】
【発明が解決しようとする課題】
【０００３】
上記技術的課題を解決するために、本発明の実施例は、情報を繰り返し伝送する方法、端末機器、ネットワーク機器、チップ、コンピュータ可読記憶媒体、コンピュータプログラム製品及びコンピュータプログラムを提供する。
【課題を解決するための手段】
【０００４】
第１態様、本発明の実施例は、端末機器に適用される情報を繰り返し伝送する方法を提供し、
少なくとも１つの連続するタイムスロットの連続する時間領域リソース上で、Ｋ個のアップリンク伝送チャネルを伝送するステップを含み、前記Ｋ個のアップリンク伝送チャネルは、ターゲットデータを個別に伝送することに用いられ、Ｋは２以上の整数であり、
前記少なくとも１つの連続するタイムスロットの連続する時間領域リソース上で、Ｋ個のアップリンク伝送チャネルを伝送するステップは、
ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送すること、
又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送することを含み、
ｎは１以上且つＫ以下の整数であり、ｍは１以上の整数である。
【０００５】
第２態様、本発明の実施例は、ネットワーク機器に適用される情報を繰り返し伝送する方法を提供し、
少なくとも１つの連続するタイムスロットの連続する時間領域リソース上で、Ｋ個のダウンリンク伝送チャネルを伝送するステップを含み、前記Ｋ個のダウンリンク伝送チャネルは、ターゲットデータを個別に伝送することに用いられ、Ｋは２以上の整数であり、
前記少なくとも１つの連続するタイムスロットの連続する時間領域リソース上で、Ｋ個のダウンリンク伝送チャネルを伝送するステップは、
ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送すること、
又は、ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することを含み、
ｎは１以上且つＫ以下の整数であり、ｍは１以上の整数である。
【０００６】
第３態様、本発明の実施例は、端末機器を提供し、
少なくとも１つの連続するタイムスロットの連続する時間領域リソース上で、Ｋ個のアップリンク伝送チャネルを伝送する第１通信ユニットを備え、前記Ｋ個のアップリンク伝送チャネルは、ターゲットデータを個別に伝送することに用いられ、Ｋは２以上の整数であり、
前記第１通信ユニットは、ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送し、
又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送し、
ｎは１以上且つＫ以下の整数であり、ｍは１以上の整数である。
【０００７】
第４態様、本発明の実施例はネットワーク機器を提供し、
少なくとも１つの連続するタイムスロットの連続する時間領域リソース上で、Ｋ個のダウンリンク伝送チャネルを伝送する第２通信ユニットを備え、前記Ｋ個のダウンリンク伝送チャネルは、ターゲットデータを個別に伝送することに用いられ、Ｋは２以上の整数であり、
前記少なくとも１つの連続するタイムスロットの連続する時間領域リソース上で、Ｋ個のダウンリンク伝送チャネルを伝送することは、
ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送すること、
又は、ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することを含み、
ｎは１以上且つＫ以下の整数であり、ｍは１以上の整数である。
【０００８】
第５態様、本発明の実施例は、プロセッサとメモリとを備える端末機器を提供する。当該メモリは、コンピュータプログラムを記憶することに用いられ、当該プロセッサは、当該メモリに記憶されているコンピュータプログラムを呼び出して実行して、上記第１態様又はその各実施形態の方法を実行することに用いられる。
【０００９】
第６態様、プロセッサとメモリとを備えるネットワーク機器を提供する。当該メモリは、コンピュータプログラムを記憶することに用いられ、当該プロセッサは、当該メモリに記憶されているコンピュータプログラムを呼び出して実行して、上記第２態様又はその各実施形態の方法を実行することに用いられる。
【００１０】
第７態様、上記第１態様〜第２態様のいずれか又はその各実施形態の方法を実現するためのチップを提供する。
【００１１】
具体的に、当該チップは、メモリからコンピュータプログラムを呼び出して実行して、当該チップが取り付けられる機器に上記第１態様〜第２態様のいずれか又はその各実施形態の方法を実行させるためのプロセッサを備える。
【００１２】
第８態様、コンピュータに上記第１態様〜第２態様又はその各実施形態の方法を実行させるコンピュータプログラムを記憶するためのコンピュータ可読記憶媒体を提供する。
【００１３】
第９態様、コンピュータに上記第１態様〜第２態様のいずれか又はその各実施形態の方法を実行させるコンピュータプログラム命令を含むコンピュータプログラム製品を提供する。
【００１４】
第１０態様、コンピュータで実行するとき、コンピュータに上記第１態様〜第２態様のいずれか又はその各実施形態の方法を実行させるコンピュータプログラムを提供する。
【発明の効果】
【００１５】
本発明の実施例の技術案は、少なくとも１つの連続する時系列の連続する時間領域リソース上で、如何にＫ個の伝送チャネルを介してターゲットデータを繰り返し伝送するかを特定し、本技術案によれば、伝送チャネルが時間的に連続しない原因でＬＢＴ（Ｌｉｓｔｅｎ  Ｂｅｆｏｒｅ  Ｔａｌｋ）機会が増えるという問題を回避することができ、それにより、伝送の成功率を向上させる。
【図面の簡単な説明】
【００１６】
【図１】図１は本願の実施例に係る通信システムの構成の模式図１である。
【図２】図２は本願の実施例に係る情報を繰り返し伝送する方法のフローチャート１である。
【図３】図３は本発明の実施例に係るタイムスロットで情報を繰り返し伝送するシナリオ模式図１である。
【図４】図４は本願の実施例に係るタイムスロットで情報を繰り返し伝送するシナリオ模式図２である。
【図５】図５は本願の実施例に係るタイムスロットで情報を繰り返し伝送するシナリオ模式図３である。
【図６】図６は本願の実施例に係るタイムスロットで情報を繰り返し伝送するシナリオ模式図４である。
【図７】図７は本願の実施例に係るタイムスロットで情報を繰り返し伝送するシナリオ模式図５である。
【図８】図８は本願の実施例に係るタイムスロットで情報を繰り返し伝送するシナリオ模式図６である。
【図９】図９は本願の実施例に係る情報を繰り返し伝送する方法のフローチャート２である。
【図１０】図１０は本願の実施例に係る端末機器の概略構成図である。
【図１１】図１１は本発明の実施例に係るネットワーク機器の概略構成図である。
【図１２】図１２は本発明の実施例に係る通信機器の概略構成図である。
【図１３】図１３は本願の実施例に係るチップの概略ブロック図である。
【図１４】図１４は本願の実施例に係る通信システムの構成の模式図２である。
【発明を実施するための形態】
【００１７】
以下、本願の実施例の図面を参照しながら、本願の実施例の技術案を説明する。勿論、説明される実施例は本願の一部の実施例に過ぎず、すべての実施例ではない。本願の実施例に基づいて、当業者が創造的な労働を必要とせずに得られるすべての他の実施例は、いずれも本願の保護範囲に属する。
【００１８】
本願の実施例の技術案は、例えば、グローバル移動通信（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイド・インターオペラビリティ・フォー・マイクロウェーブ・アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等の様々な通信システムに適用できる。
【００１９】
例示的に、本願の実施例に適用される通信システム１００は図１に示される。当該通信システム１００はネットワーク機器１１０を備えてもよく、ネットワーク機器１１０は、端末機器１２０（又は通信端末、端末と呼称される）と通信する機器であってもよい。ネットワーク機器１１０は特定の地理的領域に通信カバーを提供でき、且つ当該カバー領域内に位置する端末機器と通信できる。選択可能に、当該ネットワーク機器１１０は、ＧＳＭシステム又はＣＤＭＡシステム内のネットワーク機器（ＢＴＳ：Ｂａｓｅ  Ｔｒａｎｓｃｅｉｖｅｒ  Ｓｔａｔｉｏｎ）であってもよく、ＷＣＤＭＡシステム内のネットワーク機器（ＮＢ：ＮｏｄｅＢ）であってもよく、さらにＬＴＥシステム内の進化型ネットワーク機器（Ｅｖｏｌｕｔｉｏｎａｌ  Ｎｏｄｅ  Ｂ、ｅＮＢ又はネットワーク機器）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）内の無線コントローラであってもよく、又は当該ネットワーク機器は、移動通信交換局、中継局、アクセスポイント、車載機器、ウェアラブル機器、ハブ、交換機、ブリッジ、ルータ、５Ｇネットワーク内のネットワーク側機器又は将来の進化型公衆陸上移動体ネットワーク（ＰＬＭＮ：Ｐｕｂｌｉｃ  Ｌａｎｄ  Ｍｏｂｉｌｅ  Ｎｅｔｗｏｒｋ）内のネットワーク機器等であってもよい。
【００２０】
当該通信システム１００は、ネットワーク機器１１０のカバー領域内に位置する少なくとも１つの端末機器１２０をさらに備える。ここで使用される「端末機器」は、有線回線接続（例えば、公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ：Ｄｉｇｉｔａｌ  Ｓｕｂｓｃｒｉｂｅｒ  Ｌｉｎｅ）、デジタルケーブル、直接接続ケーブル、及び／又は別のデータ接続／ネットワーク）及び／又は無線インタフェース（例えば、セルラーネットワーク、無線ローカルエリアネットワーク（ＷＬＡＮ：Ｗｉｒｅｌｅｓｓ  Ｌｏｃａｌ  Ａｒｅａ  Ｎｅｔｗｏｒｋ）、ＤＶＢ−Ｈネットワークのようなデジタルテレビネットワーク、衛星ネットワーク、ＡＭ−ＦＭ放送送信機、及び／又は別の端末機器に対する無線インタフェース）を介して通信信号を送受信するように構成された装置、及び／又はモノのインターネット（ＩｏＴ：Ｉｎｔｅｒｎｅｔ  ｏｆ  Ｔｈｉｎｇｓ）機器を含むが、それらに限定されない。無線インタフェースを介して通信するように構成された端末機器は、「無線通信端末」、「無線端末」又は「移動端末」と呼ばれ得る。移動端末の例としては、衛星又は携帯電話と、セルラー無線電話、データ処理、ファクス及びデータ通信機能を組み合わせたパーソナル通信システム（ＰＣＳ：Ｐｅｒｓｏｎａｌ  Ｃｏｍｍｕｎｉｃａｔｉｏｎｓ  Ｓｙｓｔｅｍ）端末と、無線電話、ページャー、インターネット／イントラネットアクセス、Ｗｅｂブラウザ、メモ帳、カレンダ及び／又は全地球測位システム（ＧＰＳ：Ｇｌｏｂａｌ  Ｐｏｓｉｔｉｏｎｉｎｇ  Ｓｙｓｔｅｍ）受信機を備えるＰＤＡと、通常のラップトップ及び／又はパームトップ受信機又は無線電話送受信機を備える他の電子装置と、を含むが、それらに限定されない。端末機器は、アクセス端末、ユーザ機器（Ｕｓｅｒ  Ｅｑｕｉｐｍｅｎｔ、ユーザ機器）、端末機器ユニット、端末機器ステーション、移動局、モバイルステーション、遠方局、遠隔端末、移動機器、端末機器端末、端末、無線通信機器、端末機器エージェント又は端末機器装置であってもよい。アクセス端末は、携帯電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）ステーション、携帯情報端末（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティングデバイス又は無線モデムに接続された他の処理機器、車載機器、ウェアラブル機器、５Ｇネットワーク内の端末機器又は将来の進化型ＰＬＭＮ内の端末機器等であってもよい。
【００２１】
選択可能に、端末機器１２０の間は端末間の直接（Ｄ２Ｄ：Ｄｅｖｉｃｅ  ｔｏ  Ｄｅｖｉｃｅ）通信を行うことができる。
【００２２】
選択可能に、５Ｇシステム又は５Ｇネットワークは新無線（ＮＲ：Ｎｅｗ  Ｒａｄｉｏ）システム又はＮＲネットワークとも呼称される。
【００２３】
図１は１つのネットワーク機器及び２つの端末機器を例示的に示し、選択可能に、当該通信システム１００は複数のネットワーク機器を含んでもよく、各ネットワーク機器のカバー領域内には他の数の端末機器が含まれてもよく、本願の実施例はこれを限定しない。
【００２４】
選択可能に、当該通信システム１００はさらにネットワークコントローラ、モビリティ管理エンティティ等の他のネットワークエンティティを含んでもよく、本願の実施例はこれを限定しない。
【００２５】
理解されるように、本願の実施例におけるネットワーク／システム内の通信機能を有する機器は、通信機器と呼称され得る。図１に示される通信システム１００を例として、通信機器は通信機能を有するネットワーク機器１１０及び端末機器１２０を含んでもよく、ネットワーク機器１１０及び端末機器１２０は上記の具体的な機器であってもよく、ここで繰り返し説明しない。通信機器はさらに通信システム１００の他の機器、例えばネットワークコントローラ、モビリティ管理エンティティ等の他のネットワークエンティティを含んでもよく、本願の実施例はこれを限定しない。
【００２６】
理解されるように、本明細書の用語「システム」及び「ネットワーク」は、本明細書ではしばしば交換可能に使用される。本明細書の用語「及び／又は」は、関連対象の関連関係を説明するためのものに過ぎず、３つの関係が存在していることを示し、例えば、Ａ及び／又はＢは、Ａが単独で存在すること、Ａ及びＢが同時に存在すること、Ｂが単独で存在することの３つの状況を示す。また、本明細書の文字「／」は、一般的に前後の関連対象が「又は」の関係を持つことを示す。
【００２７】
本発明の実施例の特徴及び技術的内容をより詳細に理解するために、以下、図面を参照しながら、本発明の実施例の実現を詳細に説明する。添付の図面は説明するためのものに過ぎず、本発明の実施例を限定するためのものではない。
【００２８】
実施例１
【００２９】
本発明の実施例は、端末機器に適用される情報を繰り返し伝送する方法を提供し、図２に示すように、ステップ２０１を含む。
【００３０】
ステップ２０１：少なくとも１つの連続するタイムスロットの連続する時間領域リソース上で、Ｋ個のアップリンク伝送チャネルを伝送し、前記Ｋ個のアップリンク伝送チャネルは、ターゲットデータを個別に伝送することに用いられ、Ｋは２以上の整数であり、
前記少なくとも１つの連続するタイムスロットの連続する時間領域リソース上で、Ｋ個のアップリンク伝送チャネルを伝送するステップは、
ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送すること、
又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送することを含み、
ｎは１以上且つＫ以下の整数であり、ｍは１以上の整数である。
【００３１】
上記連続する時間領域リソースは、連続する時間領域シンボルであってもよく、アップリンク伝送チャネルは、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）であってもよい。
【００３２】
前記Ｋ個のアップリンク伝送チャネルのうち、各々のアップリンク伝送チャネルが占有する時間領域リソースは、１つのタイムスロット内に含まれている時間領域リソースの数未満である。例えば、１つのタイムスロットは１４個のシンボルを有してもよく、それでは、１つのアップリンク伝送チャネルが占有する時間領域リソース、即ち、占有する時間領域シンボルの数は、１４個のシンボル未満であり、３つのシンボルを占有してもよい。
【００３３】
本実施例では、前記Ｋ個のアップリンク伝送チャネルは、完全に同じコンテンツをＫ回繰り返し伝送し、又は、前記Ｋ個のアップリンク伝送チャネル内の異なるアップリンク伝送チャネルは、同じターゲットデータの異なる伝送バージョンを搬送する。
【００３４】
具体的には、前記Ｋ個のアップリンク伝送チャネルはターゲットデータを繰り返し伝送することに用いられ、完全に同じコンテンツを伝送してもよく、当該コンテンツは、ターゲットデータであってもよく、又は、同じ伝送バージョンのターゲットデータであってもよく、又は、前記Ｋ個のアップリンク伝送チャネルは、同じターゲットデータを伝送するが、異なる伝送バージョンを使用する。
【００３５】
異なる伝送バージョンは、オリジナル情報が同じで、即ちターゲットデータが同じであるが、符号化後の情報が完全に同じではないと理解できる。同じコンテンツを伝送する場合、同じ伝送ブロック（ＴＢ）を伝送することであってもよい。
【００３６】
以下、複数のシナリオで本実施例を説明する。
【００３７】
シナリオ１、少なくとも１つの連続するタイムスロットの連続する時間領域リソース上で、Ｋ個のアップリンク伝送チャネルを伝送し、すなわち、複数の連続するタイムスロットの連続するシンボル上で、Ｋ個のアップリンク伝送チャネルを途切れなく伝送する。
【００３８】
例えば、図３を参照し、ターゲットデータがＫ＝８回繰り返され、１つの物理チャネルＰＵＳＣＨがＮ＝３個の時間領域シンボルを占有し、１つのタイムスロットに含まれる時間領域シンボルの数がＬ＝１４であり、少なくとも１つの連続するタイムスロットがそれぞれタイムスロット１、タイムスロット２であるとする。Ｋ個のアップリンク伝送チャネルが途切れなく伝送され、即ち、端末機器は、Ｋ個のアップリンク伝送チャネルの伝送を完了するまで、タイムスロット１の開始シンボルから時間順序で８つのＰＵＳＣＨを特定する。
【００３９】
シナリオ２、タイムスロットの残り時間領域リソースが１つの完全なアップリンク伝送チャネルを搬送するのに十分でない場合、当該部分の残り時間領域リソース上でアップリンク伝送チャネルを伝送しなくてもよく、具体的には、以下のいくつかの処理方式がある。
【００４０】
方式１、前記ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送することは、ｍ番目のタイムスロットの残り時間領域リソースで完全なｎ番目のアップリンク伝送チャネルを搬送することができない場合、ｍ＋１番目のタイムスロットの開始位置からｎ番目のアップリンク伝送チャネルを伝送することを含む。このとき、当該残り時間領域リソース上でｎ番目のアップリンク伝送チャネルを伝送しなくてもよい。
【００４１】
アップリンク伝送チャネルが物理チャネルＰＵＳＣＨであることを例として、図４に示すように、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残り、１回の完全なＰＵＳＣＨを搬送するのに十分でないため、タイムスロット２の開始位置から５番目のＰＵＳＣＨを伝送する。
【００４２】
方式２、前記ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送することは、ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送することを含む。
【００４３】
このとき、理解できるように、ｍ番目のタイムスロットの残り時間領域リソースで完全なｎ番目のアップリンク伝送チャネルを搬送することができず、且つ前記残りリソースが第１所定条件を満たす場合、前記残り時間領域リソース上でアップリンク伝送チャネルを伝送せず、ｍ＋１番目のタイムスロットの開始位置からｎ番目のアップリンク伝送チャネルを伝送する。
【００４４】
前記第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることを含む。
【００４５】
残り時間領域リソースの時間領域シンボルの数とは、ｍ番目のタイムスロット上でｎ−１個のアップリンク伝送チャネルが伝送された後、ｍ番目のタイムスロットに残っている全ての時間領域シンボルの数を指し、当該全ての残りシンボルの数が予め設定された閾値以下である場合、第１所定条件を満たすと判定できる。
【００４６】
残り時間領域リソースではデータを伝送するための時間領域シンボルの数とは、ｍ番目のタイムスロット上でｎ−１個のアップリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値未満である場合、第１所定条件を満たすと判定する。
【００４７】
アップリンク伝送チャネルが物理チャネルＰＵＳＣＨであることを例として、同様に、図４によって説明し、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残っているため、且つ第１所定条件に対応する閾値を２とすると、残っている２つの時間領域シンボルが予め設定された閾値以下であり、第１所定条件を満たし、タイムスロット２の開始位置から５番目のＰＵＳＣＨを伝送すると決定する。
【００４８】
上記シナリオ２の方式１及び方式２に基づいて、以下の処理を含んでもよい。前記ｍ＋１番目のタイムスロットの開始位置からｎ番目のアップリンク伝送チャネルを伝送するとき、前記方法は、
前記ｍ番目のタイムスロットの残り時間領域リソース上で、基準信号又は占有信号を伝送するステップ、又は、
前記ｍ番目のタイムスロットの残り時間領域リソース上で、前記ターゲットデータを伝送するための第１不完全なアップリンクチャネルを伝送するステップをさらに含む。
【００４９】
すなわち、伝送の中断を回避するために、追加のＬＢＴを導入することができ、例えば、図５に示すように、タイムスロット１に残っている２つの時間領域シンボルは、復調基準信号（ＤＭＲＳ：Ｄｅｍｏｄｕｌａｔｉｏｎ  Ｒｅｆｅｒｅｎｃｅ  Ｓｉｇｎａｌ）又はサウンディング基準信号（ＳＲＳ：Ｓｏｕｎｄｉｎｇ  Ｒｅｆｅｒｅｎｃｅ  Ｓｉｇｎａｌ）を伝送することに用いられる。
【００５０】
又は、ｍ番目のタイムスロットの残り時間領域リソース上で、第１不完全なアップリンクチャネルを伝送してもよく、図６に示すように、タイムスロット１に残っている２つの時間領域シンボルは、１つの不完全なアップリンクチャネルを伝送することに用いられる。理解されるように、当該第１不完全なアップリンクチャネルは、Ｋ＋１番目のアップリンク伝送チャネルと見なすことができるが、伝送不完全なＫ＋１番目のアップリンク伝送チャネルである。
【００５１】
シナリオ３、タイムスロットの残り時間領域リソースが１つの完全なアップリンク伝送チャネルを搬送するのに十分でない場合、前記ｍ番目のタイムスロットの残り時間領域リソース内で不完全なｎ番目のアップリンク伝送チャネルを伝送することができ、具体的には、以下のいくつかの処理方式がある。
【００５２】
方式１、前記ｍ番目のタイムスロットの残り時間領域リソースで完全なｎ番目のアップリンク伝送チャネルを搬送することができない場合、直接前記ｍ番目のタイムスロットの残り時間領域リソース内で不完全なｎ番目のアップリンク伝送チャネルを伝送する。
【００５３】
すなわち、残り時間領域リソースに含まれる時間領域シンボルの数に関係なく、残り時間領域リソース内でｎ番目のアップリンク伝送チャネルを伝送する。
【００５４】
このとき、ｎ番目のアップリンク伝送チャネルの伝送回数を繰り返し回数に計数してもよく、例えば、図７に示すように、タイムスロット１に残っている２つのシンボル上で１回の不完全なｎ番目のアップリンク伝送チャネルを伝送し、且つそれを繰り返し回数に計数し、それでは、タイムスロット１で５回繰り返し伝送され、タイムスロット２で３回繰り返し伝送される。
【００５５】
又は、ｎ番目のアップリンク伝送チャネルの伝送回数を繰り返し回数に計数しなくてもよく、このとき、ｍ＋１番目のタイムスロットの開始位置で完全なｎ番目のアップリンク伝送チャネルを再送し、今回の伝送を繰り返し回数に計数する。例えば、図８に示すように、タイムスロット１に残っている２つのシンボル上で１回の不完全なｎ番目のアップリンク伝送チャネルを伝送し、繰り返し回数に計数せず、それでは、タイムスロット１で４回繰り返し伝送され、最後１回の不完全なアップリンクチャネルの伝送が繰り返し回数に計数されず、タイムスロット２で４回繰り返し伝送され、繰り返し伝送の回数が合計で８回である。
【００５６】
又は、ｍ番目のタイムスロットの残り時間領域リソースが以下の条件を満たす場合、残り時間領域リソースで不完全なアップリンク伝送チャネルを伝送することを繰り返し伝送の回数に計数し、そうでない場合は計数しない。計数の条件は、残り時間領域リソースの全ての時間領域シンボルの数が第１予め設定された閾値以上であること、又は、残り時間領域リソースではデータを伝送するための時間領域シンボルの数が第２予め設定された閾値以上であることを含む。
【００５７】
方式２、ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送する。
【００５８】
本方式では、ｍ番目のタイムスロットの残り時間領域リソースで完全なｎ番目のアップリンク伝送チャネルを搬送することができず、且つ前記残りリソースが第２所定条件を満たさない場合、前記ｍ番目のタイムスロットの残り時間領域リソース内で不完全なｎ番目のアップリンク伝送チャネルを伝送しないことをさらに含んでもよい。
【００５９】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである。
【００６０】
第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることである。それでは、第２所定条件は、残り時間領域リソースの時間領域シンボルの数が予め設定された閾値より大きいこと、又は、残り時間領域リソースでは伝送用の時間領域シンボルの数が予め設定された閾値より大きいことである。
【００６１】
さらに、前記残り時間領域リソースの時間領域シンボルの数とは、ｍ番目のタイムスロット上でｎ−１個のアップリンク伝送チャネルが伝送された後、ｍ番目のタイムスロットに残っている全ての時間領域シンボルの数を指し、当該全ての残りシンボルの数が予め設定された閾値以上であり、又は予め設定された閾値以上である場合、第２所定条件を満たすと判定できる。
【００６２】
残り時間領域リソースではデータを伝送するための時間領域シンボルの数とは、ｍ番目のタイムスロット上でｎ−１個のアップリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値より大きく、又は当該数が予め設定された閾値以上である場合、第２所定条件を満たすと判定する。
【００６３】
前記予め設定された閾値は、第１予め設定された閾値及び／又は第２予め設定された閾値を含み、具体的には、前記第１予め設定された閾値は、１つの完全なアップリンク伝送チャネルが占有する時間領域シンボルの数に基づいて特定された閾値であり、及び／又は、前記第２予め設定された閾値は、１つの完全なアップリンク伝送チャネルに含まれるデータ伝送用の時間領域シンボルの数に基づいて特定された閾値である。
【００６４】
2021518095.tif 000003
【００６５】
2021518095.tif 000004
【００６６】
実際の処理では、上記いくつかのシナリオを組み合わせて処理することができ、例えば、第１所定条件及び第２所定条件を組み合わせて使用したり、個別に使用したりすることができ、具体的には、以下のとおりである。
【００６７】
第１所定条件のみを使用して判断及び後続処理を行ってもよい。ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送し、又は、ｍ番目のタイムスロットの残り時間領域リソースで完全なｎ番目のアップリンク伝送チャネルを搬送することができず、且つ前記残りリソースが第１所定条件を満たさない場合、前記ｍ番目のタイムスロットの残り時間領域リソース内で不完全なｎ番目のアップリンク伝送チャネルを伝送する。
【００６８】
第２所定条件のみを使用して判断及び後続処理を行ってもよい。ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送し、又は、ｍ番目のタイムスロットの残り時間領域リソースで完全なｎ番目のアップリンク伝送チャネルを搬送することができず、且つ前記残りリソースが第２所定条件を満たさない場合、前記ｍ番目のタイムスロットの残り時間領域リソース内でｎ番目のアップリンク伝送チャネルを伝送せず、ｍ＋１番目のタイムスロットの開始位置からｎ番目のアップリンク伝送チャネルを伝送する。
【００６９】
第１所定条件及び第２所定条件を組み合わせて判断及び処理を行ってもよい。ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送し、このとき、ｍ番目のタイムスロットの残りリソース上で第１不完全なアップリンクチャネルを伝送し、又はｍ番目のタイムスロットの残りリソース上で基準信号又はプレースホルダーを伝送することができる。又は、ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送する。
【００７０】
なお、本実施例の前述処理はグラントフリー処理のシナリオで用いることができる。
【００７１】
上記解決手段によって、少なくとも１つの連続する時系列の連続する時間領域リソース上で、如何にＫ個の伝送チャネルを介してターゲットデータを繰り返し伝送するかを特定し、本技術案によれば、伝送チャネルが時間的に連続しない原因でＬＢＴ機会が増えるという問題を回避することができ、それにより、伝送の成功率を向上させる。
【００７２】
実施例２
【００７３】
本発明の実施例は、ネットワーク機器に適用される情報を繰り返し伝送する方法を提供し、図９に示すように、ステップ９０１を含む。
【００７４】
ステップ９０１：少なくとも１つの連続するタイムスロットの連続する時間領域リソース上で、Ｋ個のダウンリンク伝送チャネルを伝送し、前記Ｋ個のダウンリンク伝送チャネルは、ターゲットデータを個別に伝送することに用いられ、Ｋは２以上の整数であり、
前記少なくとも１つの連続するタイムスロットの連続する時間領域リソース上で、Ｋ個のダウンリンク伝送チャネルを伝送するステップは、
ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送すること、
又は、ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することを含み、
ｎは１以上且つＫ以下の整数であり、ｍは１以上の整数である。
【００７５】
上記連続する時間領域リソースは、連続する時間領域シンボルであってもよく、ダウンリンク伝送チャネルは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）であってもよい。
【００７６】
前記Ｋ個のダウンリンク伝送チャネルのうち、各々のダウンリンク伝送チャネルが占有する時間領域リソースは、１つのタイムスロット内に含まれている時間領域リソースの数未満である。例えば、１つのタイムスロットは１４個のシンボルを有してもよく、それでは、１つのダウンリンク伝送チャネルが占有する時間領域リソース、即ち、占有する時間領域シンボルの数は、１４個のシンボル未満であり、３つのシンボルを占有してもよい。
【００７７】
本実施例では、前記Ｋ個のダウンリンク伝送チャネルは、完全に同じコンテンツをＫ回繰り返し伝送し、又は、前記Ｋ個のダウンリンク伝送チャネル内の異なるダウンリンク伝送チャネルは、同じターゲットデータの異なる伝送バージョンを搬送する。
【００７８】
具体的には、前記Ｋ個のダウンリンク伝送チャネルはターゲットデータを繰り返し伝送することに用いられ、完全に同じコンテンツを伝送してもよく、当該コンテンツは、ターゲットデータであってもよく、又は、同じ伝送バージョンのターゲットデータであってもよく、又は、前記Ｋ個のダウンリンク伝送チャネルは、同じターゲットデータを伝送するが、異なる伝送バージョンを使用する。
【００７９】
異なる伝送バージョンは、オリジナル情報が同じで、即ちターゲットデータが同じであるが、符号化後の情報が完全に同じではないと理解できる。同じコンテンツを伝送する場合、同じ伝送ブロック（ＴＢ）を伝送することであってもよい。
【００８０】
以下、複数のシナリオで本実施例を説明する。
【００８１】
シナリオ１、少なくとも１つの連続するタイムスロットの連続する時間領域リソース上で、Ｋ個のダウンリンク伝送チャネルを伝送し、すなわち、複数の連続するタイムスロットの連続するシンボル上で、Ｋ個のダウンリンク伝送チャネルを途切れなく伝送する。
【００８２】
例えば、図３を参照し、ターゲットデータがＫ＝８回繰り返され、１つの物理チャネルＰＵＳＣＨがＮ＝３個の時間領域シンボルを占有し、１つのタイムスロットに含まれる時間領域シンボルの数がＬ＝１４であり、少なくとも１つの連続するタイムスロットがそれぞれタイムスロット１、タイムスロット２であるとする。Ｋ個のダウンリンク伝送チャネルが途切れなく伝送され、即ち、端末機器は、Ｋ個のダウンリンク伝送チャネルの伝送を完了するまで、タイムスロット１の開始シンボルから時間順序で８つのＰＵＳＣＨを特定する。
【００８３】
シナリオ２、タイムスロットの残り時間領域リソースが１つの完全なダウンリンク伝送チャネルを搬送するのに十分でない場合、当該部分の残り時間領域リソース上でダウンリンク伝送チャネルを伝送しなくてもよく、具体的には、以下のいくつかの処理方式がある。
【００８４】
方式１、前記ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送することは、ｍ番目のタイムスロットの残り時間領域リソースで完全なｎ番目のダウンリンク伝送チャネルを搬送することができない場合、ｍ＋１番目のタイムスロットの開始位置からｎ番目のダウンリンク伝送チャネルを伝送することを含む。このとき、当該残り時間領域リソース上でｎ番目のダウンリンク伝送チャネルを伝送しなくてもよい。
【００８５】
ダウンリンク伝送チャネルが物理チャネルＰＵＳＣＨであることを例として、図４に示すように、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残り、１回の完全なＰＵＳＣＨを搬送するのに十分でないため、タイムスロット２の開始位置から５番目のＰＵＳＣＨを伝送する。
【００８６】
方式２、前記ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送することは、ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送することを含む。
【００８７】
このとき、理解できるように、ｍ番目のタイムスロットの残り時間領域リソースで完全なｎ番目のダウンリンク伝送チャネルを搬送することができず、且つ前記残りリソースが第１所定条件を満たす場合、前記残り時間領域リソース上でダウンリンク伝送チャネルを伝送せず、ｍ＋１番目のタイムスロットの開始位置からｎ番目のダウンリンク伝送チャネルを伝送する。
【００８８】
前記第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることを含む。
【００８９】
残り時間領域リソースの時間領域シンボルの数とは、ｍ番目のタイムスロット上でｎ−１個のダウンリンク伝送チャネルが伝送された後、ｍ番目のタイムスロットに残っている全ての時間領域シンボルの数を指し、当該全ての残りシンボルの数が予め設定された閾値以下である場合、第１所定条件を満たすと判定できる。
【００９０】
残り時間領域リソースではデータを伝送するための時間領域シンボルの数とは、ｍ番目のタイムスロット上でｎ−１個のダウンリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値未満である場合、第１所定条件を満たすと判定する。
【００９１】
ダウンリンク伝送チャネルが物理チャネルＰＵＳＣＨであることを例として、同様に、図４によって説明し、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残っているため、且つ第１所定条件に対応する閾値を２とすると、残っている２つの時間領域シンボルが予め設定された閾値以下であり、第１所定条件を満たし、タイムスロット２の開始位置から５番目のＰＵＳＣＨを伝送すると決定する。
【００９２】
上記シナリオ２の方式１及び方式２に基づいて、以下の処理を含んでもよい。前記ｍ＋１番目のタイムスロットの開始位置からｎ番目のダウンリンク伝送チャネルを伝送するとき、前記方法は、
前記ｍ番目のタイムスロットの残り時間領域リソース上で、基準信号又は占有信号を伝送するステップ、又は、
前記ｍ番目のタイムスロットの残り時間領域リソース上で、前記ターゲットデータを伝送するための第１不完全なダウンリンクチャネルを伝送するステップをさらに含む。
【００９３】
すなわち、伝送の中断を回避するために、追加のＬＢＴを導入することができ、例えば、図５に示すように、タイムスロット１に残っている２つの時間領域シンボルは、ＤＭＲＳ又はＳＲＳを伝送することに用いられる。
【００９４】
又は、ｍ番目のタイムスロットの残り時間領域リソース上で、第１不完全なダウンリンクチャネルを伝送してもよく、図６に示すように、タイムスロット１に残っている２つの時間領域シンボルは、１つの不完全なダウンリンクチャネルを伝送することに用いられる。理解されるように、当該第１不完全なダウンリンクチャネルは、Ｋ＋１番目のダウンリンク伝送チャネルと見なすことができるが、伝送不完全なＫ＋１番目のダウンリンク伝送チャネルである。
【００９５】
シナリオ３、タイムスロットの残り時間領域リソースが１つの完全なダウンリンク伝送チャネルを搬送するのに十分でない場合、前記ｍ番目のタイムスロットの残り時間領域リソース内で不完全なｎ番目のダウンリンク伝送チャネルを伝送することができ、具体的には、以下のいくつかの処理方式がある。
【００９６】
方式１、前記ｍ番目のタイムスロットの残り時間領域リソースで完全なｎ番目のダウンリンク伝送チャネルを搬送することができない場合、直接前記ｍ番目のタイムスロットの残り時間領域リソース内で不完全なｎ番目のダウンリンク伝送チャネルを伝送する。
【００９７】
すなわち、残り時間領域リソースに含まれる時間領域シンボルの数に関係なく、残り時間領域リソース内でｎ番目のダウンリンク伝送チャネルを伝送する。
【００９８】
このとき、ｎ番目のダウンリンク伝送チャネルの伝送回数を繰り返し回数に計数してもよく、例えば、図７に示すように、タイムスロット１に残っている２つのシンボル上で１回の不完全なｎ番目のダウンリンク伝送チャネルを伝送し、且つそれを繰り返し回数に計数し、それでは、タイムスロット１で５回繰り返し伝送され、タイムスロット２で３回繰り返し伝送される。
【００９９】
又は、ｎ番目のダウンリンク伝送チャネルの伝送回数を繰り返し回数に計数しなくてもよく、このとき、ｍ＋１番目のタイムスロットの開始位置で完全なｎ番目のダウンリンク伝送チャネルを再送し、今回の伝送を繰り返し回数に計数する。例えば、図８に示すように、タイムスロット１に残っている２つのシンボル上で１回の不完全なｎ番目のダウンリンク伝送チャネルを伝送し、繰り返し回数に計数せず、それでは、タイムスロット１で４回繰り返し伝送され、最後１回の不完全なダウンリンクチャネルの伝送が繰り返し回数に計数されず、タイムスロット２で４回繰り返し伝送され、繰り返し伝送の回数が合計で８回である。
【０１００】
又は、ｍ番目のタイムスロットの残り時間領域リソースが以下の条件を満たす場合、残り時間領域リソースで不完全なダウンリンク伝送チャネルを伝送することを繰り返し伝送の回数に計数し、そうでない場合は計数しない。計数の条件は、残り時間領域リソースの全ての時間領域シンボルの数が第１予め設定された閾値以上であること、又は、残り時間領域リソースではデータを伝送するための時間領域シンボルの数が第２予め設定された閾値以上であることを含む。
【０１０１】
方式２、ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送する。
【０１０２】
本方式では、ｍ番目のタイムスロットの残り時間領域リソースで完全なｎ番目のダウンリンク伝送チャネルを搬送することができず、且つ前記残りリソースが第２所定条件を満たさない場合、前記ｍ番目のタイムスロットの残り時間領域リソース内で不完全なｎ番目のダウンリンク伝送チャネルを伝送しないことを含んでもよい。
【０１０３】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである。
【０１０４】
第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることである。それでは、第２所定条件は、残り時間領域リソースの時間領域シンボルの数が予め設定された閾値より大きいこと、又は、残り時間領域リソースでは伝送用の時間領域シンボルの数が予め設定された閾値より大きいことである。
【０１０５】
さらに、前記残り時間領域リソースの時間領域シンボルの数とは、ｍ番目のタイムスロット上でｎ−１個のダウンリンク伝送チャネルが伝送された後、ｍ番目のタイムスロットに残っている全ての時間領域シンボルの数を指し、当該全ての残りシンボルの数が予め設定された閾値以上であり、又は予め設定された閾値以上である場合、第２所定条件を満たすと判定できる。
【０１０６】
残り時間領域リソースではデータを伝送するための時間領域シンボルの数とは、ｍ番目のタイムスロット上でｎ−１個のダウンリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値より大きく、又は当該数が予め設定された閾値以上である場合、第２所定条件を満たすと判定する。
【０１０７】
前記予め設定された閾値は、第１予め設定された閾値及び／又は第２予め設定された閾値を含み、具体的には、前記第１予め設定された閾値は、１つの完全なダウンリンク伝送チャネルが占有する時間領域シンボルの数に基づいて特定された閾値であり、及び／又は、前記第２予め設定された閾値は、１つの完全なダウンリンク伝送チャネルに含まれるデータ伝送用の時間領域シンボルの数に基づいて特定された閾値である。
【０１０８】
2021518095.tif 000005
【０１０９】
2021518095.tif 000006
【０１１０】
実際の処理では、上記いくつかのシナリオを組み合わせて処理することができ、例えば、第１所定条件及び第２所定条件を組み合わせて使用したり、個別に使用したりすることができ、具体的には、以下のとおりである。
【０１１１】
第１所定条件のみを使用して判断及び後続処理を行ってもよい。ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送し、又は、ｍ番目のタイムスロットの残り時間領域リソースで完全なｎ番目のダウンリンク伝送チャネルを搬送することができず、且つ前記残りリソースが第１所定条件を満たさない場合、前記ｍ番目のタイムスロットの残り時間領域リソース内で不完全なｎ番目のダウンリンク伝送チャネルを伝送する。
【０１１２】
第２所定条件のみを使用して判断及び後続処理を行ってもよい。ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送し、又は、ｍ番目のタイムスロットの残り時間領域リソースで完全なｎ番目のダウンリンク伝送チャネルを搬送することができず、且つ前記残りリソースが第２所定条件を満たさない場合、前記ｍ番目のタイムスロットの残り時間領域リソース内でｎ番目のダウンリンク伝送チャネルを伝送せず、ｍ＋１番目のタイムスロットの開始位置からｎ番目のダウンリンク伝送チャネルを伝送する。
【０１１３】
第１所定条件及び第２所定条件を組み合わせて判断及び処理を行ってもよい。ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送し、このとき、ｍ番目のタイムスロットの残りリソース上で第１不完全なダウンリンクチャネルを伝送し、又はｍ番目のタイムスロットの残りリソース上で基準信号又はプレースホルダーを伝送することができる。又は、ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送する。
【０１１４】
なお、本実施例の前述処理はグラントフリー処理のシナリオで用いることができる。
【０１１５】
上記解決手段によって、少なくとも１つの連続する時系列の連続する時間領域リソース上で、如何にＫ個の伝送チャネルを介してターゲットデータを繰り返し伝送するかを特定し、本技術案によれば、伝送チャネルが時間的に連続しない原因でＬＢＴ機会が増えるという問題を回避することができ、それにより、伝送の成功率を向上させる。
【０１１６】
実施例３
【０１１７】
本発明の実施例は、端末機器を提供し、図１０に示すように、第１通信ユニット１００１を備える。
【０１１８】
第１通信ユニット１００１は、少なくとも１つの連続するタイムスロットの連続する時間領域リソース上で、Ｋ個のアップリンク伝送チャネルを伝送し、前記Ｋ個のアップリンク伝送チャネルは、ターゲットデータを個別に伝送することに用いられ、Ｋは２以上の整数であり、
前記少なくとも１つの連続するタイムスロットの連続する時間領域リソース上で、Ｋ個のアップリンク伝送チャネルを伝送することは、
ｍ番目のタイムスロットの残り時間領域リソースで完全なｎ番目のアップリンク伝送チャネルを搬送することができない場合、ｍ＋１番目のタイムスロットでｎ番目のアップリンク伝送チャネルを伝送すること、
又は、ｍ番目のタイムスロットの残り時間領域リソースで完全なｎ番目のアップリンク伝送チャネルを搬送することができない場合、前記ｍ番目のタイムスロットの残り時間領域リソース内で不完全なｎ番目のアップリンク伝送チャネルを伝送することを含み、
ｎは１以上且つＫ以下の整数であり、ｍは１以上の整数である。
【０１１９】
上記連続する時間領域リソースは、連続する時間領域シンボルであってもよく、アップリンク伝送チャネルは、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）であってもよい。
【０１２０】
前記Ｋ個のアップリンク伝送チャネルのうち、各々のアップリンク伝送チャネルが占有する時間領域リソースは、１つのタイムスロット内に含まれている時間領域リソースの数未満である。例えば、１つのタイムスロットは１４個のシンボルを有してもよく、それでは、１つのアップリンク伝送チャネルが占有する時間領域リソース、即ち、占有する時間領域シンボルの数は、１４個のシンボル未満であり、３つのシンボルを占有してもよい。
【０１２１】
本実施例では、前記Ｋ個のアップリンク伝送チャネルは、完全に同じコンテンツをＫ回繰り返し伝送し、又は、前記Ｋ個のアップリンク伝送チャネル内の異なるアップリンク伝送チャネルは、同じターゲットデータの異なる伝送バージョンを搬送する。
【０１２２】
具体的には、前記Ｋ個のアップリンク伝送チャネルはターゲットデータを繰り返し伝送することに用いられ、完全に同じコンテンツを伝送してもよく、当該コンテンツは、ターゲットデータであってもよく、又は、同じ伝送バージョンのターゲットデータであってもよく、又は、前記Ｋ個のアップリンク伝送チャネルは、同じターゲットデータを伝送するが、異なる伝送バージョンを使用する。
【０１２３】
異なる伝送バージョンは、オリジナル情報が同じで、即ちターゲットデータが同じであるが、符号化後の情報が完全に同じではないと理解できる。同じコンテンツを伝送する場合、同じ伝送ブロック（ＴＢ）を伝送することであってもよい。
【０１２４】
以下、複数のシナリオで本実施例を説明する。
【０１２５】
シナリオ１、少なくとも１つの連続するタイムスロットの連続する時間領域リソース上で、Ｋ個のアップリンク伝送チャネルを伝送し、すなわち、複数の連続するタイムスロットの連続するシンボル上で、Ｋ個のアップリンク伝送チャネルを途切れなく伝送する。
【０１２６】
例えば、図３を参照し、ターゲットデータがＫ＝８回繰り返され、１つの物理チャネルＰＵＳＣＨがＮ＝３個の時間領域シンボルを占有し、１つのタイムスロットに含まれる時間領域シンボルの数がＬ＝１４であり、少なくとも１つの連続するタイムスロットがそれぞれタイムスロット１、タイムスロット２であるとする。Ｋ個のアップリンク伝送チャネルが途切れなく伝送され、即ち、端末機器は、Ｋ個のアップリンク伝送チャネルの伝送を完了するまで、タイムスロット１の開始シンボルから時間順序で８つのＰＵＳＣＨを特定する。
【０１２７】
シナリオ２、タイムスロットの残り時間領域リソースが１つの完全なアップリンク伝送チャネルを搬送するのに十分でない場合、当該部分の残り時間領域リソース上でアップリンク伝送チャネルを伝送しなくてもよく、具体的には、以下のいくつかの処理方式がある。
【０１２８】
方式１、前記第１通信ユニット１００１は、ｍ番目のタイムスロットの残り時間領域リソースで完全なｎ番目のアップリンク伝送チャネルを搬送することができない場合、ｍ＋１番目のタイムスロットの開始位置からｎ番目のアップリンク伝送チャネルを伝送する。このとき、当該残り時間領域リソース上でｎ番目のアップリンク伝送チャネルを伝送しなくてもよい。
【０１２９】
アップリンク伝送チャネルが物理チャネルＰＵＳＣＨであることを例として、図４に示すように、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残り、１回の完全なＰＵＳＣＨを搬送するのに十分でないため、タイムスロット２の開始位置から５番目のＰＵＳＣＨを伝送する。
【０１３０】
方式２、前記第１通信ユニット１００１は、ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送する。
【０１３１】
このとき、理解できるように、ｍ番目のタイムスロットの残り時間領域リソースで完全なｎ番目のアップリンク伝送チャネルを搬送することができず、且つ前記残りリソースが第１所定条件を満たす場合、前記残り時間領域リソース上でアップリンク伝送チャネルを伝送せず、ｍ＋１番目のタイムスロットの開始位置からｎ番目のアップリンク伝送チャネルを伝送する。
【０１３２】
前記第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることを含む。
【０１３３】
残り時間領域リソースの時間領域シンボルの数とは、ｍ番目のタイムスロット上でｎ−１個のアップリンク伝送チャネルが伝送された後、ｍ番目のタイムスロットに残っている全ての時間領域シンボルの数を指し、当該全ての残りシンボルの数が予め設定された閾値以下である場合、第１所定条件を満たすと判定できる。
【０１３４】
残り時間領域リソースではデータを伝送するための時間領域シンボルの数とは、ｍ番目のタイムスロット上でｎ−１個のアップリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値未満である場合、第１所定条件を満たすと判定する。
【０１３５】
アップリンク伝送チャネルが物理チャネルＰＵＳＣＨであることを例として、同様に、図４によって説明し、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残っているため、且つ第１所定条件に対応する閾値を２とすると、残っている２つの時間領域シンボルが予め設定された閾値以下であり、第１所定条件を満たし、タイムスロット２の開始位置から５番目のＰＵＳＣＨを伝送すると決定する。
【０１３６】
上記シナリオ２の方式１及び方式２に基づいて、以下の処理を含んでもよい。前記第１通信ユニット１００１は、前記ｍ番目のタイムスロットの残り時間領域リソース上で、基準信号又は占有信号を伝送し、又は、
前記ｍ番目のタイムスロットの残り時間領域リソース上で、前記ターゲットデータを伝送するための第１不完全なアップリンクチャネルを伝送する。
【０１３７】
すなわち、伝送の中断を回避するために、追加のＬＢＴを導入することができ、例えば、図５に示すように、タイムスロット１に残っている２つの時間領域シンボルは、ＤＭＲＳ又はＳＲＳを伝送することに用いられる。
【０１３８】
又は、ｍ番目のタイムスロットの残り時間領域リソース上で、第１不完全なアップリンクチャネルを伝送してもよく、図６に示すように、タイムスロット１に残っている２つの時間領域シンボルは、１つの不完全なアップリンクチャネルを伝送することに用いられる。理解されるように、当該第１不完全なアップリンクチャネルは、Ｋ＋１番目のアップリンク伝送チャネルと見なすことができるが、伝送不完全なＫ＋１番目のアップリンク伝送チャネルである。
【０１３９】
シナリオ３、タイムスロットの残り時間領域リソースが１つの完全なアップリンク伝送チャネルを搬送するのに十分でない場合、前記ｍ番目のタイムスロットの残り時間領域リソース内で不完全なｎ番目のアップリンク伝送チャネルを伝送することができ、具体的には、以下のいくつかの処理方式がある。
【０１４０】
方式１、第１通信ユニット１００１は、前記ｍ番目のタイムスロットの残り時間領域リソースで完全なｎ番目のアップリンク伝送チャネルを搬送することができない場合、直接前記ｍ番目のタイムスロットの残り時間領域リソース内で不完全なｎ番目のアップリンク伝送チャネルを伝送する。
【０１４１】
すなわち、残り時間領域リソースに含まれる時間領域シンボルの数に関係なく、残り時間領域リソース内でｎ番目のアップリンク伝送チャネルを伝送する。
【０１４２】
このとき、ｎ番目のアップリンク伝送チャネルの伝送回数を繰り返し回数に計数してもよく、例えば、図７に示すように、タイムスロット１に残っている２つのシンボル上で１回の不完全なｎ番目のアップリンク伝送チャネルを伝送し、且つそれを繰り返し回数に計数し、それでは、タイムスロット１で５回繰り返し伝送され、タイムスロット２で３回繰り返し伝送される。
【０１４３】
又は、ｎ番目のアップリンク伝送チャネルの伝送回数を繰り返し回数に計数しなくてもよく、このとき、ｍ＋１番目のタイムスロットの開始位置で完全なｎ番目のアップリンク伝送チャネルを再送し、今回の伝送を繰り返し回数に計数する。例えば、図８に示すように、タイムスロット１に残っている２つのシンボル上で１回の不完全なｎ番目のアップリンク伝送チャネルを伝送し、繰り返し回数に計数せず、それでは、タイムスロット１で４回繰り返し伝送され、最後１回の不完全なアップリンクチャネルの伝送が繰り返し回数に計数されず、タイムスロット２で４回繰り返し伝送され、繰り返し伝送の回数が合計で８回である。
【０１４４】
又は、ｍ番目のタイムスロットの残り時間領域リソースが以下の条件を満たす場合、残り時間領域リソースで不完全なアップリンク伝送チャネルを伝送することを繰り返し伝送の回数に計数し、そうでない場合は計数しない。計数の条件は、残り時間領域リソースの全ての時間領域シンボルの数が第１予め設定された閾値以上であること、又は、残り時間領域リソースではデータを伝送するための時間領域シンボルの数が第２予め設定された閾値以上であることを含む。
【０１４５】
方式２、第１通信ユニット１００１は、ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送する。
【０１４６】
本方式では、ｍ番目のタイムスロットの残り時間領域リソースで完全なｎ番目のアップリンク伝送チャネルを搬送することができず、且つ前記残りリソースが第２所定条件を満たさない場合、前記ｍ番目のタイムスロットの残り時間領域リソース内で不完全なｎ番目のアップリンク伝送チャネルを伝送しないことをさらに含んでもよい。
【０１４７】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである。
【０１４８】
第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることである。それでは、第２所定条件は、残り時間領域リソースの時間領域シンボルの数が予め設定された閾値より大きいこと、又は、残り時間領域リソースでは伝送用の時間領域シンボルの数が予め設定された閾値より大きいことである。
【０１４９】
さらに、前記残り時間領域リソースの時間領域シンボルの数とは、ｍ番目のタイムスロット上でｎ−１個のアップリンク伝送チャネルが伝送された後、ｍ番目のタイムスロットに残っている全ての時間領域シンボルの数を指し、当該全ての残りシンボルの数が予め設定された閾値以上であり、又は予め設定された閾値以上である場合、第２所定条件を満たすと判定できる。
【０１５０】
残り時間領域リソースではデータを伝送するための時間領域シンボルの数とは、ｍ番目のタイムスロット上でｎ−１個のアップリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値より大きく、又は当該数が予め設定された閾値以上である場合、第２所定条件を満たすと判定する。
【０１５１】
前記予め設定された閾値は、第１予め設定された閾値及び／又は第２予め設定された閾値を含み、具体的には、前記第１予め設定された閾値は、１つの完全なアップリンク伝送チャネルが占有する時間領域シンボルの数に基づいて特定された閾値であり、及び／又は、前記第２予め設定された閾値は、１つの完全なアップリンク伝送チャネルに含まれるデータ伝送用の時間領域シンボルの数に基づいて特定された閾値である。
【０１５２】
2021518095.tif 000007
【０１５３】
2021518095.tif 000008
【０１５４】
実際の処理では、上記いくつかのシナリオを組み合わせて処理することができ、例えば、第１所定条件及び第２所定条件を組み合わせて使用したり、個別に使用したりすることができ、具体的には、以下のとおりである。
【０１５５】
第１所定条件のみを使用して判断及び後続処理を行ってもよい。ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送し、又は、ｍ番目のタイムスロットの残り時間領域リソースで完全なｎ番目のアップリンク伝送チャネルを搬送することができず、且つ前記残りリソースが第１所定条件を満たさない場合、前記ｍ番目のタイムスロットの残り時間領域リソース内で不完全なｎ番目のアップリンク伝送チャネルを伝送する。
【０１５６】
第２所定条件のみを使用して判断及び後続処理を行ってもよい。ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送し、又は、ｍ番目のタイムスロットの残り時間領域リソースで完全なｎ番目のアップリンク伝送チャネルを搬送することができず、且つ前記残りリソースが第２所定条件を満たさない場合、前記ｍ番目のタイムスロットの残り時間領域リソース内でｎ番目のアップリンク伝送チャネルを伝送せず、ｍ＋１番目のタイムスロットの開始位置からｎ番目のアップリンク伝送チャネルを伝送する。
【０１５７】
第１所定条件及び第２所定条件を組み合わせて判断及び処理を行ってもよい。ｍ番目のタイムスロットの残り時間領域リソースで完全なｎ番目のアップリンク伝送チャネルを搬送することができず、且つ前記残りリソースが第１所定条件を満たす場合、ｍ＋１番目のタイムスロットの開始位置からｎ番目のアップリンク伝送チャネルを伝送し、このとき、ｍ番目のタイムスロットの残りリソース上で第１不完全なアップリンクチャネルを伝送し、又はｍ番目のタイムスロットの残りリソース上で基準信号又はプレースホルダーを伝送することができる。又は、ｍ番目のタイムスロットの残り時間領域リソースで完全なｎ番目のアップリンク伝送チャネルを搬送することができず、且つ前記残りリソースが第２所定条件を満たす場合、前記ｍ番目のタイムスロットの残り時間領域リソース内で不完全なｎ番目のアップリンク伝送チャネルを伝送する。
【０１５８】
なお、本実施例の前述処理はグラントフリー処理のシナリオで用いることができる。
【０１５９】
上記解決手段によって、少なくとも１つの連続する時系列の連続する時間領域リソース上で、如何にＫ個の伝送チャネルを介してターゲットデータを繰り返し伝送するかを特定し、本技術案によれば、伝送チャネルが時間的に連続しない原因でＬＢＴ機会が増えるという問題を回避することができ、それにより、伝送の成功率を向上させる。
【０１６０】
実施例４
【０１６１】
本発明の実施例は、ネットワーク機器を提供し、図１１に示すように、第２通信ユニット１１０１を備える。
【０１６２】
第２通信ユニット１１０１は、少なくとも１つの連続するタイムスロットの連続する時間領域リソース上で、Ｋ個のダウンリンク伝送チャネルを伝送し、前記Ｋ個のダウンリンク伝送チャネルは、ターゲットデータを個別に伝送することに用いられ、Ｋは２以上の整数であり、
前記少なくとも１つの連続するタイムスロットの連続する時間領域リソース上で、Ｋ個のダウンリンク伝送チャネルを伝送することは、
ｍ番目のタイムスロットの残り時間領域リソースで完全なｎ番目のダウンリンク伝送チャネルを搬送することができない場合、ｍ＋１番目のタイムスロットでｎ番目のダウンリンク伝送チャネルを伝送すること、
又は、ｍ番目のタイムスロットの残り時間領域リソースで完全なｎ番目のダウンリンク伝送チャネルを搬送することができない場合、前記ｍ番目のタイムスロットの残り時間領域リソース内で不完全なｎ番目のダウンリンク伝送チャネルを伝送することを含み、
ｎは１以上且つＫ以下の整数であり、ｍは１以上の整数である。
【０１６３】
上記連続する時間領域リソースは、連続する時間領域シンボルであってもよく、ダウンリンク伝送チャネルは、物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）であってもよい。
【０１６４】
前記Ｋ個のダウンリンク伝送チャネルのうち、各々のダウンリンク伝送チャネルが占有する時間領域リソースは、１つのタイムスロット内に含まれている時間領域リソースの数未満である。例えば、１つのタイムスロットは１４個のシンボルを有してもよく、それでは、１つのダウンリンク伝送チャネルが占有する時間領域リソース、即ち、占有する時間領域シンボルの数は、１４個のシンボル未満であり、３つのシンボルを占有してもよい。
【０１６５】
本実施例では、前記Ｋ個のダウンリンク伝送チャネルは、完全に同じコンテンツをＫ回繰り返し伝送し、又は、前記Ｋ個のダウンリンク伝送チャネル内の異なるダウンリンク伝送チャネルは、同じターゲットデータの異なる伝送バージョンを搬送する。
【０１６６】
具体的には、前記Ｋ個のダウンリンク伝送チャネルはターゲットデータを繰り返し伝送することに用いられ、完全に同じコンテンツを伝送してもよく、当該コンテンツは、ターゲットデータであってもよく、又は、同じ伝送バージョンのターゲットデータであってもよく、又は、前記Ｋ個のダウンリンク伝送チャネルは、同じターゲットデータを伝送するが、異なる伝送バージョンを使用する。
【０１６７】
異なる伝送バージョンは、オリジナル情報が同じで、即ちターゲットデータが同じであるが、符号化後の情報が完全に同じではないと理解できる。同じコンテンツを伝送する場合、同じ伝送ブロック（ＴＢ）を伝送することであってもよい。
【０１６８】
以下、複数のシナリオで本実施例を説明する。
【０１６９】
シナリオ１、少なくとも１つの連続するタイムスロットの連続する時間領域リソース上で、Ｋ個のダウンリンク伝送チャネルを伝送し、すなわち、複数の連続するタイムスロットの連続するシンボル上で、Ｋ個のダウンリンク伝送チャネルを途切れなく伝送する。
【０１７０】
例えば、図３を参照し、ターゲットデータがＫ＝８回繰り返され、１つの物理チャネルＰＵＳＣＨがＮ＝３個の時間領域シンボルを占有し、１つのタイムスロットに含まれる時間領域シンボルの数がＬ＝１４であり、少なくとも１つの連続するタイムスロットがそれぞれタイムスロット１、タイムスロット２であるとする。Ｋ個のダウンリンク伝送チャネルが途切れなく伝送され、即ち、端末機器は、Ｋ個のダウンリンク伝送チャネルの伝送を完了するまで、タイムスロット１の開始シンボルから時間順序で８つのＰＵＳＣＨを特定する。
【０１７１】
シナリオ２、タイムスロットの残り時間領域リソースが１つの完全なダウンリンク伝送チャネルを搬送するのに十分でない場合、当該部分の残り時間領域リソース上でダウンリンク伝送チャネルを伝送しなくてもよく、具体的には、以下のいくつかの処理方式がある。
【０１７２】
方式１、第２通信ユニット１１０１は、ｍ番目のタイムスロットの残り時間領域リソースで完全なｎ番目のダウンリンク伝送チャネルを搬送することができない場合、ｍ＋１番目のタイムスロットの開始位置からｎ番目のダウンリンク伝送チャネルを伝送する。このとき、当該残り時間領域リソース上でｎ番目のダウンリンク伝送チャネルを伝送しなくてもよい。
【０１７３】
ダウンリンク伝送チャネルが物理チャネルＰＵＳＣＨであることを例として、図４に示すように、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残り、１回の完全なＰＵＳＣＨを搬送するのに十分でないため、タイムスロット２の開始位置から５番目のＰＵＳＣＨを伝送する。
【０１７４】
方式２、前記第２通信ユニット１１０１は、ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送する。
【０１７５】
このとき、理解できるように、ｍ番目のタイムスロットの残り時間領域リソースで完全なｎ番目のダウンリンク伝送チャネルを搬送することができず、且つ前記残りリソースが第１所定条件を満たす場合、前記残り時間領域リソース上でダウンリンク伝送チャネルを伝送せず、ｍ＋１番目のタイムスロットの開始位置からｎ番目のダウンリンク伝送チャネルを伝送する。
【０１７６】
前記第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることを含む。
【０１７７】
残り時間領域リソースの時間領域シンボルの数とは、ｍ番目のタイムスロット上でｎ−１個のダウンリンク伝送チャネルが伝送された後、ｍ番目のタイムスロットに残っている全ての時間領域シンボルの数を指し、当該全ての残りシンボルの数が予め設定された閾値以下である場合、第１所定条件を満たすと判定できる。
【０１７８】
残り時間領域リソースではデータを伝送するための時間領域シンボルの数とは、ｍ番目のタイムスロット上でｎ−１個のダウンリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値未満である場合、第１所定条件を満たすと判定する。
【０１７９】
ダウンリンク伝送チャネルが物理チャネルＰＵＳＣＨであることを例として、同様に、図４によって説明し、現在、タイムスロット１及びタイムスロット２の２つのタイムスロットがあり、ターゲットデータがＫ＝８回繰り返され、１つの物理チャネルＰＵＳＣＨがＮ＝３個の時間領域シンボルを占有し、タイムスロットに含まれる時間領域シンボルの数がＬ＝１４であるとする。端末は、開始シンボルから時間順序で各ＰＵＳＣＨの時間領域リソースを特定する。５番目のＰＵＳＣＨについては、タイムスロット１には２つのみの時間領域シンボルが残っているため、且つ第１所定条件に対応する閾値を２とすると、残っている２つの時間領域シンボルが予め設定された閾値以下であり、第１所定条件を満たし、タイムスロット２の開始位置から５番目のＰＵＳＣＨを伝送すると決定する。
【０１８０】
上記シナリオ２の方式１及び方式２に基づいて、以下の処理を含んでもよい。前記ｍ＋１番目のタイムスロットの開始位置からｎ番目のダウンリンク伝送チャネルを伝送するとき、前記方法は、
前記ｍ番目のタイムスロットの残り時間領域リソース上で、基準信号又は占有信号を伝送するステップ、又は、
前記ｍ番目のタイムスロットの残り時間領域リソース上で、前記ターゲットデータを伝送するための第１不完全なダウンリンクチャネルを伝送するステップをさらに含む。
【０１８１】
すなわち、伝送の中断を回避するために、追加のＬＢＴを導入することができ、例えば、図５に示すように、タイムスロット１に残っている２つの時間領域シンボルは、ＤＭＲＳ又はＳＲＳを伝送することに用いられる。
【０１８２】
又は、ｍ番目のタイムスロットの残り時間領域リソース上で、第１不完全なダウンリンクチャネルを伝送してもよく、図６に示すように、タイムスロット１に残っている２つの時間領域シンボルは、１つの不完全なダウンリンクチャネルを伝送することに用いられる。理解されるように、当該第１不完全なダウンリンクチャネルは、Ｋ＋１番目のダウンリンク伝送チャネルと見なすことができるが、伝送不完全なＫ＋１番目のダウンリンク伝送チャネルである。
【０１８３】
シナリオ３、タイムスロットの残り時間領域リソースが１つの完全なダウンリンク伝送チャネルを搬送するのに十分でない場合、前記ｍ番目のタイムスロットの残り時間領域リソース内で不完全なｎ番目のダウンリンク伝送チャネルを伝送することができ、具体的には、以下のいくつかの処理方式がある。
【０１８４】
方式１、第２通信ユニット１１０１は、ｍ番目のタイムスロットの残り時間領域リソースで完全なｎ番目のダウンリンク伝送チャネルを搬送することができない場合、直接前記ｍ番目のタイムスロットの残り時間領域リソース内で不完全なｎ番目のダウンリンク伝送チャネルを伝送する。
【０１８５】
すなわち、残り時間領域リソースに含まれる時間領域シンボルの数に関係なく、残り時間領域リソース内でｎ番目のダウンリンク伝送チャネルを伝送する。
【０１８６】
このとき、ｎ番目のダウンリンク伝送チャネルの伝送回数を繰り返し回数に計数してもよく、例えば、図７に示すように、タイムスロット１に残っている２つのシンボル上で１回の不完全なｎ番目のダウンリンク伝送チャネルを伝送し、且つそれを繰り返し回数に計数し、それでは、タイムスロット１で５回繰り返し伝送され、タイムスロット２で３回繰り返し伝送される。
【０１８７】
又は、ｎ番目のダウンリンク伝送チャネルの伝送回数を繰り返し回数に計数しなくてもよく、このとき、ｍ＋１番目のタイムスロットの開始位置で完全なｎ番目のダウンリンク伝送チャネルを再送し、今回の伝送を繰り返し回数に計数する。例えば、図８に示すように、タイムスロット１に残っている２つのシンボル上で１回の不完全なｎ番目のダウンリンク伝送チャネルを伝送し、繰り返し回数に計数せず、それでは、タイムスロット１で４回繰り返し伝送され、最後１回の不完全なダウンリンクチャネルの伝送が繰り返し回数に計数されず、タイムスロット２で４回繰り返し伝送され、繰り返し伝送の回数が合計で８回である。
【０１８８】
又は、ｍ番目のタイムスロットの残り時間領域リソースが以下の条件を満たす場合、残り時間領域リソースで不完全なダウンリンク伝送チャネルを伝送することを繰り返し伝送の回数に計数し、そうでない場合は計数しない。計数の条件は、残り時間領域リソースの全ての時間領域シンボルの数が第１予め設定された閾値以上であること、又は、残り時間領域リソースではデータを伝送するための時間領域シンボルの数が第２予め設定された閾値以上であることを含む。
【０１８９】
方式２、第２通信ユニット１１０１は、ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送する。
【０１９０】
本方式では、ｍ番目のタイムスロットの残り時間領域リソースで完全なｎ番目のダウンリンク伝送チャネルを搬送することができず、且つ前記残りリソースが第２所定条件を満たさない場合、前記ｍ番目のタイムスロットの残り時間領域リソース内で不完全なｎ番目のダウンリンク伝送チャネルを伝送しないことを含んでもよい。
【０１９１】
前記第２所定条件は、
前記第１所定条件を満たさないこと、
前記残り時間領域リソースの時間領域シンボルの数が予め設定された閾値以上であること、
前記残り時間領域リソースではデータを伝送するための時間領域シンボルの数が予め設定された閾値以上であること、のうちの１つである。
【０１９２】
第１所定条件は、前記残り時間領域リソースの時間領域シンボルの数が予め設定された閾値以下であること、又は、前記残り時間領域リソースではデータを伝送するための時間領域シンボルの数が予め設定された閾値以下であることである。それでは、第２所定条件は、残り時間領域リソースの時間領域シンボルの数が予め設定された閾値より大きいこと、又は、残り時間領域リソースでは伝送用の時間領域シンボルの数が予め設定された閾値より大きいことである。
【０１９３】
さらに、前記残り時間領域リソースの時間領域シンボルの数とは、ｍ番目のタイムスロット上でｎ−１個のダウンリンク伝送チャネルが伝送された後、ｍ番目のタイムスロットに残っている全ての時間領域シンボルの数を指し、当該全ての残りシンボルの数が予め設定された閾値以上であり、又は予め設定された閾値以上である場合、第２所定条件を満たすと判定できる。
【０１９４】
残り時間領域リソースではデータを伝送するための時間領域シンボルの数とは、ｍ番目のタイムスロット上でｎ−１個のダウンリンク伝送チャネルが伝送された後、ｍ番目のタイムスロットに残っている全ての時間領域シンボルの数のうち、基準信号又はプレースホルダーを伝送するリソースを除いて、残っているデータを伝送するための時間領域シンボルの数を指し、例えば、全ての残り時間領域シンボルの数を２とし、プレースホルダーを伝送するための１つのシンボルを除いて、残っている１つのシンボルは、データを伝送するための時間領域シンボルの数となり、当該数が予め設定された閾値より大きく、又は当該数が予め設定された閾値以上である場合、第２所定条件を満たすと判定する。
【０１９５】
前記予め設定された閾値は、第１予め設定された閾値及び／又は第２予め設定された閾値を含み、具体的には、前記第１予め設定された閾値は、１つの完全なダウンリンク伝送チャネルが占有する時間領域シンボルの数に基づいて特定された閾値であり、及び／又は、前記第２予め設定された閾値は、１つの完全なダウンリンク伝送チャネルに含まれるデータ伝送用の時間領域シンボルの数に基づいて特定された閾値である。
【０１９６】
2021518095.tif 000009
【０１９７】
2021518095.tif 000010
【０１９８】
実際の処理では、上記いくつかのシナリオを組み合わせて処理することができ、例えば、第１所定条件及び第２所定条件を組み合わせて使用したり、個別に使用したりすることができ、具体的には、以下のとおりである。
【０１９９】
第１所定条件のみを使用して判断及び後続処理を行ってもよい。ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送し、又は、ｍ番目のタイムスロットの残り時間領域リソースで完全なｎ番目のダウンリンク伝送チャネルを搬送することができず、且つ前記残りリソースが第１所定条件を満たさない場合、前記ｍ番目のタイムスロットの残り時間領域リソース内で不完全なｎ番目のダウンリンク伝送チャネルを伝送する。
【０２００】
第２所定条件のみを使用して判断及び後続処理を行ってもよい。ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送し、又は、ｍ番目のタイムスロットの残り時間領域リソースで完全なｎ番目のダウンリンク伝送チャネルを搬送することができず、且つ前記残りリソースが第２所定条件を満たさない場合、前記ｍ番目のタイムスロットの残り時間領域リソース内でｎ番目のダウンリンク伝送チャネルを伝送せず、ｍ＋１番目のタイムスロットの開始位置からｎ番目のダウンリンク伝送チャネルを伝送する。
【０２０１】
第１所定条件及び第２所定条件を組み合わせて判断及び処理を行ってもよい。ｍ番目のタイムスロットの残り時間領域リソースで完全なｎ番目のダウンリンク伝送チャネルを搬送することができず、且つ前記残りリソースが第１所定条件を満たす場合、ｍ＋１番目のタイムスロットの開始位置からｎ番目のダウンリンク伝送チャネルを伝送し、このとき、ｍ番目のタイムスロットの残りリソース上で第１不完全なダウンリンクチャネルを伝送し、又はｍ番目のタイムスロットの残りリソース上で基準信号又はプレースホルダーを伝送することができる。又は、ｍ番目のタイムスロットの残り時間領域リソースで完全なｎ番目のダウンリンク伝送チャネルを搬送することができず、且つ前記残りリソースが第２所定条件を満たす場合、前記ｍ番目のタイムスロットの残り時間領域リソース内で不完全なｎ番目のダウンリンク伝送チャネルを伝送する。
【０２０２】
なお、本実施例の前述処理はグラントフリー処理のシナリオで用いることができる。
【０２０３】
上記解決手段によって、少なくとも１つの連続する時系列の連続する時間領域リソース上で、如何にＫ個の伝送チャネルを介してターゲットデータを繰り返し伝送するかを特定し、本技術案によれば、伝送チャネルが時間的に連続しない原因でＬＢＴ機会が増えるという問題を回避することができ、それにより、伝送の成功率を向上させる。
【０２０４】
図１２は本願の実施例に係る通信機器１２００の概略構成図であり、通信機器は本実施例に記載の端末機器又はネットワーク機器であってもよい。図１２に示される通信機器１２００はプロセッサ１２１０を備え、プロセッサ１２１０は、メモリからコンピュータプログラムを呼び出して実行して、本願の実施例の方法を実現することができる。
【０２０５】
選択可能に、図１２に示すように、通信機器１２００はメモリ１２２０をさらに備えてもよい。プロセッサ１２１０は、メモリ１２２０からコンピュータプログラムを呼び出して実行して、本願の実施例の方法を実現することができる。
【０２０６】
メモリ１２２０は、プロセッサ１２１０とは独立した個別のデバイスであってもよく、プロセッサ１２１０に集積されてもよい。
【０２０７】
選択可能に、図１２に示すように、通信機器１２００は送受信機１２３０をさらに備えてもよく、プロセッサ１２１０は、当該送受信機１２３０と他の機器との通信を制御することができ、具体的には、他の機器に情報又はデータを送信し、又は他の機器から送信された情報又はデータを受信することができる。
【０２０８】
送受信機１２３０は送信機及び受信機を備えてもよい。送受信機１２３０は１つ又は複数のアンテナをさらに備えてもよい。
【０２０９】
選択可能に、当該通信機器１２００は、具体的には本願の実施例のネットワーク機器であってもよく、当該通信機器１２００は、本願の実施例の各方法においてネットワーク機器によって実現する対応するプロセスを実現することができ、簡潔さのために、ここで繰り返し説明しない。
【０２１０】
選択可能に、当該通信機器１２００は、具体的には本願の実施例の端末機器、又はネットワーク機器であってもよく、当該通信機器１２００は、本願の実施例の各方法において移動端末／端末機器によって実現する対応するプロセスを実現することができ、簡潔さのために、ここで繰り返し説明しない。
【０２１１】
図１３は本願の実施例に係るチップの概略構成図である。図１３に示されるチップ１３００はプロセッサ１３１０を備え、プロセッサ１３１０は、メモリからコンピュータプログラムを呼び出して実行して、本願の実施例の方法を実現することができる。
【０２１２】
選択可能に、図１３に示すように、チップ１３００はメモリ１３２０をさらに備えてもよい。プロセッサ１３１０は、メモリ１３２０からコンピュータプログラムを呼び出して実行して、本願の実施例の方法を実現することができる。メモリ１３２０はプロセッサ１３１０とは独立した個別のデバイスであってもよく、プロセッサ１３１０に集積されてもよい。
【０２１３】
選択可能に、当該チップ１３００は入力インタフェース１３３０をさらに備えてもよい。プロセッサ１３１０は、当該入力インタフェース１３３０と他の機器又はチップとの通信を制御することができ、具体的には、他の機器又はチップから送信された情報又はデータを取得することができる。
【０２１４】
選択可能に、当該チップ１３００は出力インタフェース１３４０をさらに備えてもよい。プロセッサ１３１０は、当該出力インタフェース１３４０と他の機器又はチップとの通信を制御することができ、具体的には、他の機器又はチップに情報又はデータを出力することができる。
【０２１５】
選択可能に、当該チップは本願の実施例のネットワーク機器に適用でき、当該チップは、本願の実施例の各方法においてネットワーク機器によって実現する対応するプロセスを実現することができ、簡潔さのために、ここで繰り返し説明しない。
【０２１６】
選択可能に、当該チップは本願の実施例の端末機器に適用でき、当該チップは、本願の実施例の各方法において端末機器によって実現する対応するプロセスを実現することができ、簡潔さのために、ここで繰り返し説明しない。
【０２１７】
理解されるように、本願の実施例に記載のチップは、システムレベルのチップ、システムチップ、チップシステム又はシステムオンチップ等とも呼称される。
【０２１８】
図１４は本願の実施例に係る通信システム１４００の概略ブロック図である。図１４に示すように、当該通信システム１４００は端末機器１４１０及びネットワーク機器１４２０を備える。当該端末機器１４１０は、上記方法において端末機器によって実現する対応する機能を実現することに用いられ、当該ネットワーク機器１４２０は、上記方法においてネットワーク機器によって実現する対応する機能を実現することに用いられ、簡潔さのために、ここで繰り返し説明しない。
【０２１９】
理解されるように、本願の実施例のプロセッサは、集積回路チップであってもよく、信号の処理能力を有する。実現過程では、上記方法実施例の各ステップはプロセッサ内のハードウェアの集積論理回路又はソフトウェア形態の命令によって完了することができる。上記プロセッサは、汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、離散ゲート又はトランジスタロジックデバイス、個別ハードウェア部品であってもよい。本願の実施例に開示されている各方法、ステップ及びロジックブロック図を実現又は実行することができる。汎用プロセッサは、マイクロプロセッサであってもよく、又は当該プロセッサは、いずれかの通常のプロセッサ等であってもよい。本願の実施例に開示されている方法のステップは、ハードウェアデコードプロセッサによって直接実行されてもよく、又はデコードプロセッサ内のハードウェア及びソフトウェアモジュールの組み合わせによって実行されてもよい。ソフトウェアモジュールは、ランダムメモリ、フラッシュメモリ、読み出し専用メモリ、プログラマブル読み出し専用メモリ又は電気的消去可能プログラマブルメモリ、レジスタ等の本分野の成熟した記憶媒体にあってもよい。当該記憶媒体はメモリにあり、プロセッサはメモリ内の情報を読み取り、そのハードウェアと組み合わせて上記方法のステップを完了する。
【０２２０】
理解されるように、本願の実施例のメモリは、揮発性メモリ又は不揮発性メモリであってもよく、又は揮発性メモリ及び不揮発性メモリの両者を含んでもよい。不揮発性メモリは、読み出し専用メモリ（ＲＯＭ：Ｒｅａｄ−Ｏｎｌｙ  Ｍｅｍｏｒｙ）、プログラマブルＲＯＭ（ＰＲＯＭ：Ｐｒｏｇｒａｍｍａｂｌｅ  ＲＯＭ）、消去可能ＰＲＯＭ（ＥＰＲＯＭ：Ｅｒａｓａｂｌｅ  ＰＲＯＭ）、電気的ＥＰＲＯＭ（ＥＥＰＲＯＭ：Ｅｌｅｃｔｒｉｃａｌｌｙ  ＥＰＲＯＭ）又はフラッシュメモリであってもよい。揮発性メモリは、外部キャッシュとして使用されるランダムアクセスメモリ（ＲＡＭ：Ｒａｎｄｏｍ  Ａｃｃｅｓｓ  Ｍｅｍｏｒｙ）であってもよい。限定的な説明ではなく、例示的な説明によって、多くの形態のＲＡＭが利用でき、例えば、スタティックＲＡＭ（ＳＲＡＭ：Ｓｔａｔｉｃ  ＲＡＭ）、ダイナミックＲＡＭ（ＤＲＡＭ：Ｄｙｎａｍｉｃ  ＲＡＭ）、同期ＤＲＡＭ（ＳＤＲＡＭ：Ｓｙｎｃｈｒｏｎｏｕｓ  ＤＲＡＭ）、ダブルデータレートＳＤＲＡＭ（ＤＤＲ  ＳＤＲＡＭ：Ｄｏｕｂｌｅ  Ｄａｔａ  Ｒａｔｅ  ＳＤＲＡＭ）、強化ＳＤＲＡＭ（ＥＳＤＲＡＭ：Ｅｎｈａｎｃｅｄ  ＳＤＲＡＭ）、同期リンクＤＲＡＭ（ＳＬＤＲＡＭ：Ｓｙｎｃｈｌｉｎｋ  ＤＲＡＭ）及びダイレクトラムバスＲＡＭ（ＤＲ  ＲＡＭ：Ｄｉｒｅｃｔ  Ｒａｍｂｕｓ  ＲＡＭ）が挙げられる。なお、本明細書で説明されるシステム及び方法のメモリは、これらのメモリ及び任意の他の適切な種類のメモリを含むが、それらに限定されない。
【０２２１】
理解されるように、上記メモリは、例示的なものに過ぎず、限定的なものではない。例えば、本願の実施例のメモリは、スタティックＲＡＭ（ＳＲＡＭ：ｓｔａｔｉｃ  ＲＡＭ）、ダイナミックＲＡＭ（ＤＲＡＭ：ｄｙｎａｍｉｃ  ＲＡＭ）、同期ＤＲＡＭ（ＳＤＲＡＭ：ｓｙｎｃｈｒｏｎｏｕｓ  ＤＲＡＭ）、ダブルデータレートＳＤＲＡＭ（ＤＤＲ  ＳＤＲＡＭ：ｄｏｕｂｌｅ  ｄａｔａ  ｒａｔｅ  ＳＤＲＡＭ）、強化ＳＤＲＡＭ（ＥＳＤＲＡＭ：ｅｎｈａｎｃｅｄ  ＳＤＲＡＭ）、同期リンクＤＲＡＭ（ＳＬＤＲＡＭ：ｓｙｎｃｈ  ｌｉｎｋ  ＤＲＡＭ）及びダイレクトラムバスＲＡＭ（ＤＲ  ＲＡＭ：Ｄｉｒｅｃｔ  Ｒａｍｂｕｓ  ＲＡＭ）等が挙げられる。すなわち、本願の実施例のメモリは、これらのメモリ及び任意の他の適切な種類のメモリを含むが、それらに限定されない。
【０２２２】
本願の実施例は、コンピュータプログラムを記憶するためのコンピュータ可読記憶媒体をさらに提供する。
【０２２３】
選択可能に、当該コンピュータ可読記憶媒体は本願の実施例のネットワーク機器に適用でき、当該コンピュータプログラムは、本願の実施例の各方法においてネットワーク機器によって実現する対応するプロセスをコンピュータに実行させ、簡潔さのために、ここで繰り返し説明しない。
【０２２４】
選択可能に、当該コンピュータ可読記憶媒体は本願の実施例の端末機器に適用でき、当該コンピュータプログラムは、本願の実施例の各方法において移動端末／端末機器によって実現する対応するプロセスをコンピュータに実行させ、簡潔さのために、ここで繰り返し説明しない。
【０２２５】
本願の実施例は、コンピュータプログラム命令を含むコンピュータプログラム製品をさらに提供する。
【０２２６】
選択可能に、当該コンピュータプログラム製品は本願の実施例のネットワーク機器に適用でき、当該コンピュータプログラム命令は、本願の実施例の各方法においてネットワーク機器によって実現する対応するプロセスをコンピュータに実行させ、簡潔さのために、ここで繰り返し説明しない。
【０２２７】
選択可能に、当該コンピュータプログラム製品は本願の実施例の移動端末／端末機器に適用でき、当該コンピュータプログラム命令は、本願の実施例の各方法において移動端末／端末機器によって実現する対応するプロセスをコンピュータに実行させ、簡潔さのために、ここで繰り返し説明しない。
【０２２８】
本願の実施例は、コンピュータプログラムをさらに提供する。
【０２２９】
選択可能に、当該コンピュータプログラムは本願の実施例のネットワーク機器に適用でき、当該コンピュータプログラムはコンピュータで実行するとき、本願の実施例の各方法においてネットワーク機器によって実現する対応するプロセスをコンピュータに実行させ、簡潔さのために、ここで繰り返し説明しない。
【０２３０】
選択可能に、当該コンピュータプログラムは本願の実施例の移動端末／端末機器に適用でき、当該コンピュータプログラムはコンピュータで実行するとき、本願の実施例の各方法において移動端末／端末機器によって実現する対応するプロセスをコンピュータに実行させ、簡潔さのために、ここで繰り返し説明しない。
【０２３１】
当業者であれば、本明細書に開示されている実施例で説明された各例示的ユニット及びアルゴリズムステップは、電子ハードウェア、又はコンピュータソフトウェアと電子ハードウェアとの組み合わせで実現できることを理解できる。これらの機能がハードウェアそれともソフトウェア形態で実行されるかは、技術案の特定応用及び設計制約条件に決められる。当業者は各特定の応用に対して異なる方法で説明された機能を実現することができるが、この実現は本願の範囲を超えると見なされるべきではない。
【０２３２】
当業者は、説明の便宜及び簡潔さのために、上記説明されたシステム、装置及びユニットの具体的な作動過程が、前述の方法実施例における対応する過程を参照することができ、ここで繰り返し説明しないことを明確に理解できる。
【０２３３】
本願のいくつかの実施例では、開示されたシステム、装置及び方法は、他の方式で実現できることを理解できる。例えば、上記説明された装置実施例は例示的なものに過ぎず、例えば、前記ユニットの分割は、単にロジック機能の分割であり、実際の実現時に別の分割方法でもよく、例えば、複数のユニット又は構成要素を組み合わせてもよく、又は別のシステムに集積してもよく、又は一部の特徴を無視してもよく、又は実行しなくてもよい。また、図示又は検討される相互結合又は直接結合又は通信接続は、あるインタフェース、装置又はユニットを介した間接結合又は通信接続であってもよく、電気的、機械的又は他の形態のものであってもよい。
【０２３４】
前記別々の部材として説明されるユニットは、物理的に分離されてもよく、物理的に分離されなくてもよく、ユニットとして示される部材は、物理ユニットであってもよく、物理ユニットでなくてもよく、即ち、１つの場所に位置してもよく、又は複数のネットワークユニットに分布してもよい。実際の需要に応じてそのうちの一部又は全部ユニットを選択して本実施例の技術案の目的を実現することができる。
【０２３５】
また、本願各実施例における各機能ユニットは１つの処理ユニットに集積されてもよく、各ユニットは単独で物理的に存在してもよく、２つ又は２つ以上のユニットは１つのユニットに集積されてもよい。
【０２３６】
以上は、本願の実施形態に過ぎず、本願の保護範囲を制限するためのものではなく、当業者は本願に開示された技術範囲内に、変化や置換を容易に想到でき、それらの変化や置換は本願の保護範囲内に含まれる。従って、本願の保護範囲は特許請求の範囲の保護範囲を根拠とすべきである。
【図１】
2021518095.tif 000011
【図２】
2021518095.tif 000012
【図３】
2021518095.tif 000013
【図４】
2021518095.tif 000014
【図５】
2021518095.tif 000015
【図６】
2021518095.tif 000016
【図７】
2021518095.tif 000017
【図８】
2021518095.tif 000018
【図９】
2021518095.tif 000019
【図１０】
2021518095.tif 000020
【図１１】
2021518095.tif 000021
【図１２】
2021518095.tif 000022
【図１３】
2021518095.tif 000023
【図１４】
2021518095.tif 000024
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
情報を繰り返し伝送するための方法であって、端末機器に適用され、
前記端末機器は、少なくとも２つの連続するタイムスロットの連続する時間領域リソース上で、Ｋ個のアップリンク伝送チャネルを伝送するように構成され、前記Ｋ個のアップリンク伝送チャネルにおける各アップリンク伝送チャネルは、ターゲットデータを伝送することに用いられ、Ｋは２以上の整数であり、
前記方法は、前記少なくとも２つのタイムスロットにおける１つのタイムスロットの残り時間領域リソースが前記Ｋ個のアップリンク伝送チャネルにおけるｎ番目のアップリンク伝送チャネルを搬送するのに不十分である場合、前記タイムスロットの残り時間領域リソース内で不完全なｎ番目のアップリンク伝送チャネルを伝送することを含み、
ｎは１以上且つＫ以下の整数である情報を繰り返し伝送するための方法。
【請求項２】
前記Ｋ個のアップリンク伝送チャネルは、前記ターゲットデータの異なる伝送バージョンを搬送する請求項１に記載の方法。
【請求項３】
前記各アップリンク伝送チャネルが占有する時間領域リソースは、１つのタイムスロット内に含まれている時間領域リソース未満である請求項１に記載の方法。
【請求項４】
前記タイムスロットの残り時間領域リソース内で不完全な前記ｎ番目のアップリンク伝送チャネルを伝送することは、
前記タイムスロットの残り時間領域リソースが前記ｎ番目のアップリンク伝送チャネルの占有する時間領域リソースより小さく、且つ前記残りリソースが第２所定条件を満たす場合、前記タイムスロットの残り時間領域リソース内で不完全な前記ｎ番目のアップリンク伝送チャネルを伝送することを含み、
前記第２所定条件は、前記残り時間領域リソースの時間領域シンボルの数が予め設定された閾値以上であることである請求項１〜３のいずれか１項に記載の方法。
【請求項５】
前記予め設定された閾値は１である請求項４に記載の方法。
【請求項６】
情報を繰り返し伝送する方法であって、ネットワーク機器に適用され、
前記ネットワーク機器は、少なくとも２つの連続するタイムスロットの連続する時間領域リソース上で、Ｋ個のダウンリンク伝送チャネルを伝送するように構成され、前記Ｋ個のダウンリンク伝送チャネルにおける各ダウンリンク伝送チャネルは、ターゲットデータを伝送することに用いられ、Ｋは２以上の整数であり、
前記方法は、前記少なくとも２つのタイムスロットにおける１つのタイムスロットの残り時間領域リソースが前記Ｋ個のダウンリンク伝送チャネルにおけるｎ番目のダウンリンク伝送チャネルを搬送するのに不十分である場合、前記タイムスロットの残り時間領域リソース内で不完全なｎ番目のダウンリンク伝送チャネルを伝送することを含み、
ｎは１以上且つＫ以下の整数である情報を繰り返し伝送する方法。
【請求項７】
前記Ｋ個のダウンリンク伝送チャネルは、前記ターゲットデータの異なる伝送バージョンを搬送する請求項６に記載の方法。
【請求項８】
前記各ダウンリンク伝送チャネルが占有する時間領域リソースは、１つのタイムスロット内に含まれている時間領域リソース未満である請求項６に記載の方法。
【請求項９】
前記タイムスロットの残り時間領域リソース内で不完全な前記ｎ番目のダウンリンク伝送チャネルを伝送することは、
前記タイムスロットの残り時間領域リソースが前記ｎ番目のダウンリンク伝送チャネルの占有する時間領域リソースより小さく、且つ前記残りリソースが第２所定条件を満たす場合、前記タイムスロットの残り時間領域リソース内で不完全な前記ｎ番目のダウンリンク伝送チャネルを伝送することを含み、
前記第２所定条件は、前記残り時間領域リソースの時間領域シンボルの数が予め設定された閾値以上であることである請求項６〜８のいずれか１項に記載の方法。
【請求項１０】
前記予め設定された閾値は１である請求項９に記載の方法。
【請求項１１】
端末機器であって、
少なくとも２つの連続するタイムスロットの連続する時間領域リソース上で、Ｋ個のアップリンク伝送チャネルを伝送する第１通信ユニットを備え、前記Ｋ個のアップリンク伝送チャネルにおける各アップリンク伝送チャネルは、ターゲットデータをに伝送することに用いられ、Ｋは２以上の整数であり、
前記第１通信ユニットは、前記少なくとも２つのタイムスロットにおける１つのタイムスロットの残り時間領域リソースが前記Ｋ個のアップリンク伝送チャネルにおけるｎ番目のアップリンク伝送チャネルを搬送するのに不十分である場合、前記タイムスロットの残り時間領域リソース内で不完全なｎ番目のアップリンク伝送チャネルを伝送し、
ｎは１以上且つＫ以下の整数である端末機器。
【請求項１２】
前記Ｋ個のアップリンク伝送チャネルは、前記ターゲットデータの異なる伝送バージョンを搬送する請求項１１に記載の端末機器。
【請求項１３】
前記各アップリンク伝送チャネルが占有する時間領域リソースは、１つのタイムスロット内に含まれている時間領域リソース未満である請求項１１に記載の端末機器。
【請求項１４】
前記第１通信ユニットは、前記タイムスロットの残り時間領域リソースが前記ｎ番目のアップリンク伝送チャネルの占有する時間領域リソースより小さく、且つ前記残りリソースが第２所定条件を満たす場合、前記タイムスロットの残り時間領域リソース内で不完全な前記ｎ番目のアップリンク伝送チャネルを伝送し、
前記第２所定条件は、前記残り時間領域リソースの時間領域シンボルの数が予め設定された閾値以上であることである請求項１１〜１３のいずれか１項に記載の端末機器。
【請求項１５】
前記予め設定された閾値は１である請求項１４に記載の端末機器。
【国際調査報告】
2021518095.tif 000025
2021518095.tif 000026
2021518095.tif 000027
2021518095.tif 000028